(57)【特許請求の範囲】
【請求項１】
無線通信のための方法であって、
ユーザ機器（ＵＥ）によって、セルに関する情報を獲得することと、ここにおいて、前記獲得された情報は、前記セルに関する、物理セルアイデンティティ（ＰＣＩ）、周波数（ｅａｒＦＣＮ）、および帯域幅を備える構成情報を含み、
前記ＵＥによって、セル情報データベース内に前記セルに関する前記獲得された情報を格納することと、
前記ＵＥによって、前記セルの物理ハイブリッド−自動再送要求（ＨＡＲＱ）インジケータチャネル（ＰＨＩＣＨ）グループマッピングのための最初の相互情報（Ｍｉ）仮説値を決定するために前記セル情報データベース内の前記セルに関する前記構成情報を使用することと、
前記最初のＭｉ仮説値を使用して前記ＵＥによって、前記セル上でのシステム情報ブロック（ＳＩＢ）に関する物理ダウンリンク制御チャネル（ＰＤＣＣＨ）復号を実行することと、ここにおいて、前記ＳＩＢは、ＳＩＢ１である、
を備え、
前記ＵＥのパワーアップ時の最初の周波数スキャン中に、前記セル情報データベース内に格納された前記セルに関する前記獲得された情報を使用して、所望の能力を有するセルを選択することをさらに備える、方法。
【請求項２】
前記構成情報は、前記セルの位置をさらに備え、前記セル情報データベース内に前記セルに関する前記獲得された情報を格納することは、前記セル情報データベース内に前記セルの前記位置を格納することを含み、
前記方法は、測位基準信号（ＰＲＳ）、到着の観測された時間差（ＯＴＤＡ）、または決定された全地球測位システム（ＧＰＳ）座標のうちの少なくとも１つに関連するデータをキャッシュの形態で前記セル情報データベース内に格納することをさらに含み、前記方法は、
前記ＵＥによって、前記セルを一意で特定するために、前記位置情報を含む、前記セル情報データベース内の前記セルに関する前記構成情報を使用すること
をさらに備える、請求項１に記載の方法。
【請求項３】
前記セルに関する前記獲得された情報は、前記セルに関するクローズド加入者グループ（ＣＳＧ）能力情報をさらに含み、前記セル情報データベース内に前記セルに関する前記獲得された情報を格納することは、前記ＣＳＧ能力情報を格納することを含み、前記方法は、
前記ＵＥのパワーアップ時の最初の周波数スキャン中に、前記セルがＣＳＧ能力を有すること、および、別のセルがＣＳＧ能力を有さないことを決定するために前記セル情報データベースを使用することと、
前記セルがＣＳＧ能力を有さない前記別のセルよりも低い信号強度を前記ＵＥにおいて有するにもかかわらず前記セルの前記ＣＳＧ能力に基づいて前記セル上での最初の獲得を優先することと
をさらに備える、請求項１に記載の方法。
【請求項４】
前記セルに関する前記獲得された情報は、前記セルに関する発展型マルチメディアブロードキャストマルチキャストサービス（ｅＭＢＭＳ）能力情報をさらに含み、前記セル情報データベース内に前記セルに関する前記獲得された情報を格納することは、前記ｅＭＢＭＳ能力情報を格納することを含み、前記方法は、
前記ＵＥのパワーアップ時の最初の周波数スキャン中に、前記セルがｅＭＢＭＳ能力を有すること、および、別のセルがｅＭＢＭＳ能力を有さないことを決定するために前記セル情報データベースを使用することと、
前記セルがｅＭＢＭＳ能力を有さない前記別のセルよりも低い信号強度を前記ＵＥにおいて有するにもかかわらず前記セルの前記ｅＭＢＭＳ能力に基づいて前記セル上での最初の獲得を優先することと
をさらに備える、請求項１に記載の方法。
【請求項５】
前記格納することは、前記セル上での無線リンク障害（ＲＬＦ）または同期外（ＯＯＳ）イベントのうちの少なくとも１つに応答して、前記セルのセル構成情報（ＣＣＩ）および前記ＵＥによって以前に獲得された１つまたは複数の以前のセルの１つまたは複数のＣＣＩのシーケンスを記録することを含み、ここにおいて、前記構成情報は、前記セルの前記ＰＣＩと、公衆陸上無線ネットワーク（ＰＬＭＮ）と、前記ｅａｒＦＣＮとを含み、前記方法は、
現在のＣＣＩシーケンスと前記セル情報データベース内に格納された１つまたは複数のＣＣＩシーケンスとの間の合致を決定することと、
前記合致を前記決定することに少なくとも部分的に応答して、ＲＬＦまたはＯＯＳイベントのうちの少なくとも１つを予測することと
をさらに備える、請求項１に記載の方法。
【請求項６】
前記格納することは、前記ＲＬＦまたはＯＯＳイベントの発生または予測のうちの少なくとも１つに引き続いての別のセルの成功裏の獲得に少なくとも部分的に応答して、ＣＣＩの前記シーケンスに関連する解決方法として前記別のセルのＣＣＩを記録することをさらに含み、前記方法は、
前記別のセルを優先的に獲得するために、前記ＲＬＦまたはＯＯＳイベントを前記予測することに少なくとも部分的に応答して、ＣＣＩの前記シーケンスに関連する前記解決方法を使用すること
をさらに備える、請求項５に記載の方法。
【請求項７】
無線通信のための装置であって、
ユーザ機器（ＵＥ）によって、セルに関する情報を獲得するための手段と、ここにおいて、前記獲得された情報は、前記セルに関する、物理セルアイデンティティ（ＰＣＩ）、周波数（ｅａｒＦＣＮ）、および帯域幅を備える構成情報を含み、
前記ＵＥによって、セル情報データベース内に前記セルに関する前記獲得された情報を格納するための手段と、
前記ＵＥによって、前記セルの物理ハイブリッド−自動再送要求（ＨＡＲＱ）インジケータチャネル（ＰＨＩＣＨ）グループマッピングのための最初の相互情報（Ｍｉ）仮説値を決定するために前記セル情報データベース内の前記セルに関する前記構成情報を使用するための手段と、
前記最初のＭｉ仮説値を使用して前記ＵＥによって、前記セル上でのシステム情報ブロック（ＳＩＢ）に関する物理ダウンリンク制御チャネル（ＰＤＣＣＨ）復号を実行するための手段と、ここにおいて、前記ＳＩＢは、ＳＩＢ１である、
を備える、装置。
【請求項８】
前記構成情報は、前記セルの位置をさらに備え、前記セル情報データベース内に前記セルに関する前記獲得された情報を格納するための前記手段は、前記セル情報データベース内に前記セルの前記位置を格納するための手段を含み、
前記装置は、測位基準信号（ＰＲＳ）、到着の観測された時間差（ＯＴＤＡ）、または決定された全地球測位システム（ＧＰＳ）座標のうちの少なくとも１つに関連するデータをキャッシュの形態で前記セル情報データベース内に格納するための手段をさらに含み、前記装置は、
前記ＵＥによって、前記セルを一意で特定するために、前記位置情報を含む、前記セル情報データベース内の前記セルに関する前記構成情報を使用するための手段
をさらに備える、請求項７に記載の装置。
【請求項９】
前記セルに関する前記獲得された情報は、前記セルに関するクローズド加入者グループ（ＣＳＧ）能力情報をさらに含み、前記セル情報データベース内に前記セルに関する前記獲得された情報を格納するための前記手段は、前記ＣＳＧ能力情報を格納するための手段を含み、前記装置は、
前記ＵＥのパワーアップ時の最初の周波数スキャン中に、前記セルがＣＳＧ能力を有すること、および、別のセルがＣＳＧ能力を有さないことを決定するために前記セル情報データベースを使用するための手段と、
前記セルがＣＳＧ能力を有さない前記別のセルよりも低い信号強度を前記ＵＥにおいて有するにもかかわらず前記セルの前記ＣＳＧ能力に基づいて前記セル上での最初の獲得を優先するための手段と、
をさらに備える、請求項７に記載の装置。
【請求項１０】
前記セルに関する前記獲得された情報は、前記セルに関する発展型マルチメディアブロードキャストマルチキャストサービス（ｅＭＢＭＳ）能力情報をさらに含み、前記セル情報データベース内に前記セルに関する前記獲得された情報を格納するための前記手段は、前記ｅＭＢＭＳ能力情報を格納するための手段を含み、前記装置は、
前記ＵＥのパワーアップ時の最初の周波数スキャン中に、前記セルがｅＭＢＭＳ能力を有すること、および、別のセルがｅＭＢＭＳ能力を有さないことを決定するために前記セル情報データベースを使用するための手段と、
前記セルがｅＭＢＭＳ能力を有さない前記別のセルよりも低い信号強度を前記ＵＥにおいて有するにもかかわらず前記セルの前記ｅＭＢＭＳ能力に基づいて前記セル上での最初の獲得を優先するための手段と
をさらに備える、請求項７に記載の装置。
【請求項１１】
格納するための前記手段は、前記セル上での無線リンク障害（ＲＬＦ）または同期外（ＯＯＳ）イベントのうちの少なくとも１つに応答して、前記セルのセル構成情報（ＣＣＩ）および前記ＵＥによって以前に獲得された１つまたは複数の以前のセルの１つまたは複数のＣＣＩのシーケンスを記録するための手段を含み、ここにおいて、前記構成情報は、前記セルの前記ＰＣＩと、公衆陸上無線ネットワーク（ＰＬＭＮ）と、前記ｅａｒＦＣＮとを含み、前記方法は、
現在のＣＣＩシーケンスと前記セル情報データベース内に格納された１つまたは複数のＣＣＩシーケンスとの間の合致を決定するための手段と、
前記合致を前記決定することに少なくとも部分的に応答して、ＲＬＦまたはＯＯＳイベントのうちの少なくとも１つを予測するための手段と
をさらに備える、請求項７に記載の装置。
【請求項１２】
格納するための前記手段は、前記ＲＬＦまたはＯＯＳイベントの発生または予測のうちの少なくとも１つに引き続いての別のセルの成功裏の獲得に少なくとも部分的に応答して、ＣＣＩの前記シーケンスに関連する解決方法として前記別のセルのＣＣＩを記録するための手段をさらに含み、前記方法は、
前記別のセルを優先的に獲得するために、前記ＲＬＦまたはＯＯＳイベントを前記予測することに少なくとも部分的に応答して、ＣＣＩの前記シーケンスに関連する前記解決方法を使用するための手段をさらに備える、請求項１１に記載の装置。
【請求項１３】
１つまたは複数のプロセッサによって実行されると、前記１つまたは複数のプロセッサに、
ユーザ機器（ＵＥ）によって、セルに関する情報を獲得することと、ここにおいて、前記獲得された情報は、前記セルに関する、物理セルアイデンティティ（ＰＣＩ）、周波数（ｅａｒＦＣＮ）、および帯域幅を備える構成情報を含み、
前記ＵＥによって、セル情報データベース内に前記セルに関する前記獲得された情報を格納することと、
前記ＵＥによって、前記セルの物理ハイブリッド−自動再送要求（ＨＡＲＱ）インジケータチャネル（ＰＨＩＣＨ）グループマッピングのための最初の相互情報（Ｍｉ）仮説値を決定するために前記セル情報データベース内の前記セルに関する前記構成情報を使用することと、
前記最初のＭｉ仮説値を使用して前記ＵＥによって、前記セル上でのシステム情報ブロック（ＳＩＢ）に関する物理ダウンリンク制御チャネル（ＰＤＣＣＨ）復号を実行することと、ここにおいて、前記ＳＩＢは、ＳＩＢ１である、
を行わせる命令を記録した、非一時的コンピュータ可読媒体。
【請求項１４】
前記構成情報は、前記セルの位置をさらに備え、前記命令は、前記１つまたは複数のコンピュータに、前記セル情報データベース内に前記セルの前記位置を格納することによって少なくとも部分的に前記セル情報データベース内に前記セルに関する前記獲得された情報を格納することをさらに行わせ、
前記命令は、測位基準信号（ＰＲＳ）、到着の観測された時間差（ＯＴＤＡ）、または決定された全地球測位システム（ＧＰＳ）座標のうちの少なくとも１つに関連するデータをキャッシュの形態で前記セル情報データベース内に格納することをさらに行わせ、ここにおいて、前記命令は、前記１つまたは複数のコンピュータに、
前記ＵＥによって、前記セルを一意で特定するために、前記位置情報を含む、前記セル情報データベース内の前記セルに関する前記構成情報を使用すること
をさらに行わせる、請求項１３に記載の非一時的コンピュータ可読媒体。
【請求項１５】
前記セルに関する前記獲得された情報は、前記セルに関するクローズド加入者グループ（ＣＳＧ）能力情報をさらに含み、前記命令は、前記１つまたは複数のコンピュータに、前記ＣＳＧ能力情報を格納することによって少なくとも部分的に前記セル情報データベース内に前記セルに関する前記獲得された情報を格納することをさらに行わせ、ここにおいて、前記命令は、前記１つまたは複数のコンピュータに、
前記ＵＥのパワーアップ時の最初の周波数スキャン中に、前記セルがＣＳＧ能力を有すること、および、別のセルがＣＳＧ能力を有さないことを決定するために前記セル情報データベースを使用すること、および
前記セルがＣＳＧ能力を有さない前記別のセルよりも低い信号強度を前記ＵＥにおいて有するにもかかわらず前記セルの前記ＣＳＧ能力に基づいて前記セル上での最初の獲得を優先すること
をさらに行わせる、請求項１３に記載の非一時的コンピュータ可読媒体。
【請求項１６】
前記セルに関する前記獲得された情報は、前記セルに関する発展型マルチメディアブロードキャストマルチキャストサービス（ｅＭＢＭＳ）能力情報をさらに含み、前記命令は、前記１つまたは複数のコンピュータに、前記ｅＭＢＭＳ能力情報を格納することによって少なくとも部分的に前記セル情報データベース内に前記セルに関する前記獲得された情報を格納することをさらに行わせ、ここにおいて、前記命令は、前記１つまたは複数のコンピュータに、
前記ＵＥのパワーアップ時の最初の周波数スキャン中に、前記セルがｅＭＢＭＳ能力を有すること、および、別のセルがｅＭＢＭＳ能力を有さないことを決定するために前記セル情報データベースを使用すること、および
前記セルがｅＭＢＭＳ能力を有さない前記別のセルよりも低い信号強度を前記ＵＥにおいて有するにもかかわらず前記セルの前記ｅＭＢＭＳ能力に基づいて前記セル上での最初の獲得を優先すること
をさらに行わせる、請求項１３に記載の非一時的コンピュータ可読媒体。
【請求項１７】
前記命令は、前記１つまたは複数のコンピュータに、前記セル上での無線リンク障害（ＲＬＦ）または同期外（ＯＯＳ）イベントのうちの少なくとも１つに応答して、前記セルのセル構成情報（ＣＣＩ）および前記ＵＥによって以前に獲得された１つまたは複数の以前のセルの１つまたは複数のＣＣＩのシーケンスを記録することによって少なくとも部分的に前記セル情報データベース内に前記セルに関する前記情報を格納することをさらに行わせ、ここにおいて、前記構成情報は、前記セルの前記ＰＣＩと、公衆陸上無線ネットワーク（ＰＬＭＮ）と、前記ｅａｒＦＣＮとを含み、前記命令は、前記１つまたは複数のコンピュータに、
現在のＣＣＩシーケンスと前記セル情報データベース内に格納された１つまたは複数のＣＣＩシーケンスとの間の合致を決定することと、
前記合致を前記決定することに少なくとも部分的に応答して、ＲＬＦまたはＯＯＳイベントのうちの少なくとも１つを予測することと、
をさらに行わせる、請求項１３に記載の非一時的コンピュータ可読媒体。
【請求項１８】
前記命令は、前記１つまたは複数のコンピュータに、前記ＲＬＦまたはＯＯＳイベントの発生または予測のうちの少なくとも１つに引き続いての別のセルの成功裏の獲得に少なくとも部分的に応答して、ＣＣＩの前記シーケンスに関連する解決方法として前記別のセルのＣＣＩを記録することによって少なくとも部分的に前記セル情報データベース内に前記セルに関する前記構成情報を格納することをさらに行わせ、ここにおいて、前記命令は、前記１つまたは複数のコンピュータに、
前記別のセルを優先的に獲得するために、前記ＲＬＦまたはＯＯＳイベントを前記予測することに少なくとも部分的に応答して、ＣＣＩの前記シーケンスに関連する前記解決方法を使用すること
をさらに行わせる、請求項１７に記載の非一時的コンピュータ可読媒体。
【請求項１９】
無線通信のための装置であって、
ユーザ機器（ＵＥ）によって、セルに関する情報を獲得し、ここにおいて、前記獲得された情報は、前記セルに関する、物理セルアイデンティティ（ＰＣＩ）、周波数（ｅａｒＦＣＮ）、および帯域幅を備える構成情報を含み、
前記ＵＥによって、セル情報データベース内に前記セルに関する前記獲得された情報を格納し、
前記ＵＥによって、前記セルの物理ハイブリッド−自動再送要求（ＨＡＲＱ）インジケータチャネル（ＰＨＩＣＨ）グループマッピングのための最初の相互情報（Ｍｉ）仮説値を決定するために前記セル情報データベース内の前記セルに関する前記構成情報を使用し、
前記最初のＭｉ仮説値を使用して前記ＵＥによって、前記セル上でのシステム情報ブロック（ＳＩＢ）に関する物理ダウンリンク制御チャネル（ＰＤＣＣＨ）復号を実行し、ここにおいて、前記ＳＩＢは、ＳＩＢ１である、
ように構成された１つまたは複数のプロセッサと、
前記１つまたは複数のプロセッサに結合された少なくとも１つのメモリと、
を備える、装置。
【請求項２０】
前記構成情報は、前記セルの位置をさらに備え、前記１つまたは複数のプロセッサは、前記セル情報データベース内に前記セルの前記位置を格納することによって少なくとも部分的に前記セル情報データベース内に前記セルに関する前記獲得された情報を格納するようにさらに構成され、
前記１つまたは複数のプロセッサは、測位基準信号（ＰＲＳ）、到着の観測された時間差（ＯＴＤＡ）、または決定された全地球測位システム（ＧＰＳ）座標のうちの少なくとも１つに関連するデータをキャッシュの形態で前記セル情報データベースに格納するようにさらに構成され、ここにおいて、前記１つまたは複数のプロセッサは、
前記ＵＥによって、前記セルを一意で特定するために、前記位置情報を含む、前記セル情報データベース内の前記セルに関する前記構成情報を使用する
ようにさらに構成される、請求項１９に記載の装置。
【請求項２１】
前記セルに関する前記獲得された情報は、前記セルに関するクローズド加入者グループ（ＣＳＧ）能力情報をさらに含み、前記１つまたは複数のプロセッサは、前記ＣＳＧ能力情報を格納することによって少なくとも部分的に前記セル情報データベース内に前記セルに関する前記獲得された情報を格納するようにさらに構成され、ここにおいて、前記１つまたは複数のプロセッサは、
前記ＵＥのパワーアップ時の最初の周波数スキャン中に、前記セルがＣＳＧ能力を有すること、および、別のセルがＣＳＧ能力を有さないことを決定するために前記セル情報データベースを使用し、および
前記セルがＣＳＧ能力を有さない前記別のセルよりも低い信号強度を前記ＵＥにおいて有するにもかかわらず前記セルの前記ＣＳＧ能力に基づいて前記セル上での最初の獲得を優先する
ようにさらに構成される、請求項１９に記載の装置。
【請求項２２】
前記セルに関する前記獲得された情報は、前記セルに関する発展型マルチメディアブロードキャストマルチキャストサービス（ｅＭＢＭＳ）能力情報をさらに含み、前記１つまたは複数のプロセッサは、前記ｅＭＢＭＳ能力情報を格納することによって少なくとも部分的に前記セル情報データベース内に前記セルに関する前記獲得された情報を格納するようにさらに構成され、ここにおいて、前記１つまたは複数のプロセッサは、
前記ＵＥのパワーアップ時の最初の周波数スキャン中に、前記セルがｅＭＢＭＳ能力を有すること、および、別のセルがｅＭＢＭＳ能力を有さないことを決定するために前記セル情報データベースを使用し、および
前記セルがｅＭＢＭＳ能力を有さない前記別のセルよりも低い信号強度を前記ＵＥにおいて有するにもかかわらず前記セルの前記ｅＭＢＭＳ能力に基づいて前記セル上での最初の獲得を優先する
ようにさらに構成される、請求項１９に記載の装置。
【請求項２３】
前記１つまたは複数のプロセッサは、前記セル上での無線リンク障害（ＲＬＦ）または同期外（ＯＯＳ）イベントのうちの少なくとも１つに応答して、前記セルのセル構成情報（ＣＣＩ）および前記ＵＥによって以前に獲得された１つまたは複数の以前のセルの１つまたは複数のＣＣＩのシーケンスを記録することによって少なくとも部分的に前記セル情報データベース内に前記セルに関する前記構成情報を格納するようにさらに構成され、ここにおいて、前記構成情報は、前記セルの前記ＰＣＩと、公衆陸上無線ネットワーク（ＰＬＭＮ）と、前記ｅａｒＦＣＮとを含み、前記１つまたは複数のプロセッサは、
現在のＣＣＩシーケンスと前記セル情報データベース内に格納された１つまたは複数のＣＣＩシーケンスとの間の合致を決定し、
前記合致を前記決定することに少なくとも部分的に応答して、ＲＬＦまたはＯＯＳイベントのうちの少なくとも１つを予測する
ようにさらに構成される、請求項１９に記載の装置。
【請求項２４】
前記１つまたは複数のプロセッサは、前記ＲＬＦまたはＯＯＳイベントの発生または予測のうちの少なくとも１つに引き続いての別のセルの成功裏の獲得に少なくとも部分的に応答して、ＣＣＩの前記シーケンスに関連する解決方法として前記別のセルのＣＣＩを記録することによって少なくとも部分的に前記セル情報データベース内に前記セルに関する前記構成情報を格納するようにさらに構成され、ここにおいて、前記１つまたは複数のプロセッサは、
前記別のセルを優先的に獲得するために、前記ＲＬＦまたはＯＯＳイベントの前記予測に少なくとも部分的に応答して、ＣＣＩの前記シーケンスに関連する前記解決方法を使用する
ようにさらに構成される、請求項２３に記載の装置。
【発明の詳細な説明】
【関連出願の相互参照】
【０００１】
[0001]本出願は、それらの全体が本明細書における引用によって明示で組み込まれており、２０１４年４月１５日に出願され、「OPTIMIZED CELL ACQUISITION FOR LTE（登録商標） TDD SYSTEMS OR CSG/eMBMS CAPABLE UEs」と題する、米国仮特許出願第６１／９７９，９６２号、および、２０１５年４月１３日に出願され、「OPTIMIZED CELL ACQUISITION FOR LTE TDD SYSTEMS OR CSG/eMBMS CAPABLE UEs」と題する、米国実用特許出願第１４／６８５，３４７号の利益を主張する。
【技術分野】
【０００２】
[0002]本開示の態様は、概して無線通信システムに関し、より具体的には、ロングタームエボリューション（ＬＴＥ）時分割複信（ＴＤＤ）システムまたはクローズド加入者グループ（ＣＳＧ）／発展型マルチキャストブロードキャストマルチメディアサービス（ｅＭＢＭＳ）能力を有するユーザ機器（ＵＥ）のための最適化されたセル獲得に関する。
【背景技術】
【０００３】
[0003]音声、映像、パケットデータ、メッセージング、ブロードキャスト、等のような様々な無線通信サービスを提供するために無線通信ネットワークが広く展開されている。これらの無線ネットワークは、利用可能なネットワークリソースを共有することによって複数のユーザをサポートすることが可能な多元接続ネットワークであり得る。そのような多元接続ネットワークの例は、符号分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一キャリアＦＤＭＡ（ＳＣ−ＦＤＭＡ）ネットワークと、を含む。
【０００４】
[0004]無線通信ネットワークは、幾つかのユーザ機器（ＵＥ）のための通信をサポートすることができる幾つかのｅＮｏｄｅＢを含み得る。ＵＥは、ダウンリンクおよびアップリンクを介してｅＮｏｄｅＢと通信し得る。ダウンリンク（または順方向リンク）は、ｅＮｏｄｅＢからＵＥへの通信リンクを意味し、アップリンク（または逆方向リンク）は、ＵＥからｅＮｏｄｅＢへの通信リンクを意味する。
【発明の概要】
【０００５】
[0005]ロングタームエボリューション（ＬＴＥ）時分割複信（ＴＤＤ）システムまたはクローズド加入者グループ（ＣＳＧ）／発展型マルチキャストブロードキャストマルチメディアサービス（ｅＭＢＭＳ）能力を有するユーザ機器（ＵＥ）のための最適化されたセル獲得のための技法が開示される。
【０００６】
[0006]一態様では、無線通信のための方法は、ユーザ機器（ＵＥ）によって、
セルに関する構成情報、クローズド加入者グループ（ＣＧＳ）能力情報、または発展型マルチメディアブロードキャストマルチキャストサービス（ｅＭＢＭＳ）能力情報のうちの少なくとも１つを獲得することを含む。方法はまた、ＵＥによって、セル情報データベース内にセルに関する獲得された情報を格納することを含む。
【０００７】
[0007]別の態様では、無線通信のための装置は、ユーザ機器（ＵＥ）によって、セルに関する構成情報、クローズド加入者グループ（ＣＧＳ）能力情報、または発展型マルチメディアブロードキャストマルチキャストサービス（ｅＭＢＭＳ）能力情報のうちの少なくとも１つを獲得するための手段を含む。装置はまた、ＵＥによって、セル情報データベース内にセルに関する獲得された情報を格納するための手段を含む。
【０００８】
[0008]追加の態様では、コンピュータ可読媒体は、そこに格納されたプログラムコードを有する。プログラムコードは、１つまたは複数のコンピュータによって実行されると、１つまたは複数のコンピュータに、ユーザ機器（ＵＥ）によって、セルに関する構成情報、クローズド加入者グループ（ＣＧＳ）能力情報、または発展型マルチメディアブロードキャストマルチキャストサービス（ｅＭＢＭＳ）能力情報のうちの少なくとも１つを獲得することを行わせる。プログラムコードはまた、１つまたは複数のコンピュータによって実行されると、１つまたは複数のコンピュータに、ＵＥによって、セル情報データベース内にセルに関する獲得された情報を格納することを行わせる。
【０００９】
[0009]さらなる態様では、無線通信のために構成された装置は、１つまたは複数のプロセッサと、１つまたは複数のプロセッサに結合された少なくとも１つのメモリと、を備える。少なくとも１つのプロセッまたは１つまたは複数のプロセッサは、ユーザ機器（ＵＥ）によって、セルに関する構成情報、クローズド加入者グループ（ＣＧＳ）能力情報、または発展型マルチメディアブロードキャストマルチキャストサービス（ｅＭＢＭＳ）能力情報のうちの少なくとも１つを獲得するように構成される。１つまたは複数のプロセッサは、ＵＥによって、セル情報データベース内にセルに関する獲得された情報を格納するようにさらに構成される。
【００１０】
[0010]本開示の様々な態様および特徴が以下においてさらなる詳細さで説明される。
【図面の簡単な説明】
【００１１】
【図１】[0011]  図１は、電気通信システムの例を示したブロック図である。
【図２】[0012]  図２は、電気通信システムにおけるダウンリンクフレーム構造の例を示したブロック図である。
【図３】[0013]  図３は、本開示の一態様により構成されたｅＮｏｄｅＢおよびＵＥの設計を示したブロック図である。
【図４】[0014]  図４は、本開示の態様によりＵＥによって実行される無線通信プロセスのブロック例を示したブロック図である。
【図５】[0015]  図５は、本開示の態様によりＵＥによって実行される無線通信プロセスのブロック例を示したブロック図である。
【発明を実施するための形態】
【００１２】
[0016]ロングタームエボリューション（ＬＴＥ）規格は、概して、ダウンリンクおよびアップリンク送信のための２つのフレーム構造を規定した。フレーム構造タイプ２  ＬＴＥ時分割複信（ＴＤＤ）に関して、規格は、様々なアップリンクおよびダウンリンクサブフレーム割り当てを有する７つの異なるアップリンク−ダウンリンク構成（ＤＬ／ＤＬ）を定義する。特定のＵＬ／ＤＬ構成は、概して、各ＬＴＥ  ＴＤＤネットワークによってシステム情報ブロック（ＳＩＢ）タイプ１（ＳＩＢ１）でブロードキャストされる。ＬＴＥ  ＴＤＤシステムに従った獲得のために、ＵＥは、ＳＩＢ１を復号するタスクに直面することがある。マスタ情報ブロック（ＭＩＢ）、ＳＩＢ１、およびＳＩＢタイプ２（ＳＩＢ２）メッセージは、典型的には、ＵＥがネットワーク上でＬＴＥサービスを獲得することを可能にする。しかしながら、ＳＩＢ１を復号するために、ＵＥは、物理ダウンリンク共有チャネル（ＰＤＳＣＨ）上でのデータによって後続される、対応する物理ダウンリンク制御チャネル（ＰＤＣＣＨ）を復号し得る。ＰＤＣＣＨ復号を実行するために、ＵＥは、概して、様々な物理チャネル（例えば、物理ハイブリッド自動再送要求（ＨＡＲＱ）インジケータチャネル（ＰＨＩＣＨ）、物理制御フォーマットインジケータチャネル（ＰＣＦＩＣＨ）、および／またはＰＤＣＣＨ））に関してＬＴＥシステムのリソース要素をマッピングする。
【００１３】
[0017]ＬＴＥ  ＴＤＤシステムでは、各ＵＬ／ＤＬ構成は、１つのサブフレーム当たりの各ＵＬ／ＤＬ構成に関して一意であり得る相互情報（Ｍｉ）仮説値に基づいた予め定義された物理ＨＡＲＱインジケータマッピングを有し得る。しかしながら、ＳＩＢ１を復号する前に、ＵＥは、ＬＴＥ  ＴＤＤシステムに対応するＭｉ値に気付かないことがある。従って、ＵＥは、ＬＴＥ  ＴＤＤシステムのＳＩＢ１に対応するＰＤＣＣＨを復号するために可能なＭｉ仮説値（すなわち、０、１、および２）のうちのすべてを使用してブラインド復号を実行し得る。
【００１４】
[0018]パワーアップ中の最初の周波数スキャン中に、今日のＵＥは、最初のセル獲得のために最高のエネルギーのセルを優先する。しかしながら、ＵＥは、クローズド加入者グループ（ＣＳＧ）能力および／または発展型マルチメディアブロードキャストマルチキャストサービス（ｅＭＢＭＳ）能力のような希望される能力を有する別のセルに対して再選択することが必要になることがある。これは、ＵＥ能力に基づくセルの最初の選択において任意のインテリジェンスが欠けている今日のＵＥからの別のセルの結果に対して再選択する必要がある。
【００１５】
[0019]既存の技術に従って構成されたＵＥはまた、無線リンク障害（ＲＬＦ）およびＵＥによって実装される同期外（ＯＯＳ）プロシージャに関連する難点に出くわす。例えば、今日のＵＥによって実装されるＯＯＳプロシージャは、システム喪失イベントが発生したシステム無線アクセス技術（ＲＡＴ）を獲得することを最初に追求する。そうする際に、ＵＥは、所定のＲＡＴに関連しおよび所定のＲＡＴのために備えられたすべての帯域および周波数を探索する。このプロセスは、典型的には、電力消費の点で高価である。例えば、４つのＬＴＥ帯域をスキャンすることは、約１３秒を要求し、それは、相当の電力を消費する。このプロセスはまた、不良なユーザ経験をもたらし得る。例えば、使用可能な周波数がＬＴＥ帯域スキャンの最後（すなわち、第４のＬＴＥ帯域）に存在する場合、ＵＥは、使用可能な周波数に達する前に第１の３つのＬＴＥ帯域を不必要にスキャンし、その結果生じるユーザによって経験される遅延は望ましくない。さらに、ＵＥがＲＡＴを見つけることができない場合、ＯＯＳプロシージャは、直近に使用された（ＭＲＵ）、好ましいローミングリスト（ＰＲＬ）、またはユニバーサル加入者アイデンティティモジュール（ＵＳＩＭ）に従って指定し得るように、それの地理上の位置内で定義された有用なシステムを探索する。繰り返すと、ＵＥは、ＲＡＴにわたる使用可能な周波数に関して遅延を経験しおよび相当の電力スキャンを消費し得る。これらのプロシージャのすべてがサービスを再開することができない場合は、それは、通常は高価な帯域スキャン後に発生し、ＵＥは、ローミングシステムを探索することを開始する。
【００１６】
[0020]既存の技術に従って構成されたＵＥは、電力を節約するためにＯＯＳのテレスコーピング（ｔｅｌｅｓｃｏｐｉｎｇ）を使用する。そのようなテレスコープ式探索アルゴリズムは、引き続く探索／スリープサイクルの周期性を繰り返し増大させる。この解決方法は、電力を節約する上では適切に働くが、支払われるペナルティは、エンドユーザにとっての遅延されたサービス能力である。サービスを回復させるための積極的な探索と電力を節約するためのテレスコーピングとの間のトレードオフは、低い電力消費で素早くサービスを回復させることを、不可能ではないが、極端に困難にする。
【００１７】
[0021]本明細書において説明される技法は、有利なことに、セル情報データベース内にセルに関する構成情報、クローズド加入者グループ（ＣＳＧ）能力情報、および／または発展型マルチメディアブロードキャストマルチキャストサービス（ｅＭＢＭＳ）能力情報を格納することによって上記の問題に対処し、それは、様々な方法でこの格納された情報を使用することを可能にする。例えば、ＵＥは、セルの物理ハイブリッド−自動再送要求（ＨＡＲＱ）インジケータチャネル（ＰＨＩＣＨ）グループマッピングのための最初の相互情報（Ｍｉ）仮説値を決定するために格納された情報を使用し得る。さらに、ＵＥは、セルを一意で特定するためにセル情報データベース内のセルに関して位置情報を使用し得る。さらに、ＵＥは、セルはＣＳＧ能力および／またはｅＭＢＭＳ能力を有しない別のセルよりも低い信号強度をＵＥにおいて有するにもかかわらずセルのＣＳＧ能力および／またはｅＭＢＭＳ能力に基づいてセル上で最初の獲得を優先するためにＵＥのパワーアップ時の最初の周波数スキャン中に格納された情報を使用し得る。さらに、ＵＥは、ＲＬＦまたはＯＯＳイベントを予測するためにセルのシーケンスに関する情報の格納されたシーケンスを使用し得、および、予測に応答して、別のセルを優先的に獲得するためにシーケンスと関連させて格納された以前に獲得された解決方法を使用し得る。従って、これらの技法は、サービスの喪失を回避し得および／またはサービスを素早く獲得するまたは回復させ得る。
【００１８】
[0022]添付された図面と関連させて以下に記載される詳細な説明は、様々な構成の説明として意図され、本明細書において説明される概念を実行し得る唯一の構成を表すことは意図されない。詳細な説明は、様々な概念の徹底的な理解を提供するための具体的な詳細を含む。しかしながら、これらの概念は、これらの具体的な詳細なしで実行し得ることが当業者にとって明らかになるであろう。幾つかの例では、周知の構造およびコンポーネントは、そのような概念を不明瞭にすることを回避するためにブロック図の形で示される。
【００１９】
[0023]本明細書において説明される技法は、ＣＤＭＡ、ＴＤＭＡ、ＦＤＭＡ、
ＯＦＤＭＡ、ＳＣ−ＦＤＭＡのような様々な無線通信ネットワークおよび他のネットワークに関して使用し得る。用語「ネットワーク」および「システム」は、互換可能な形でしばしば使用される。ＣＤＭＡネットワークは、ユニバーサル地上無線アクセス（ＵＴＲＡ）、ｃｄｍａ２０００、等のような無線技術を実装し得る。ＵＴＲＡは、ワイドバンドＣＤＭＡ（ＷＣＤＭＡ（登録商標））と、ＣＤＭＡの他の変形と、を含む。ｃｄｍａ２０００は、ＩＳ−２０００、ＩＳ−９５、およびＩＳ−８５６規格を網羅する。ＴＤＭＡネットワークは、グローバル移動通信システム（ＧＳＭ（登録商標））のような無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭＡ、等のような無線技術を実装し得る。ＵＴＲＡおよびＥ−ＵＴＲＡは、ユニバーサル移動通信システム（ＵＭＴＳ）の一部である。３ＧＰＰ（登録商標）ロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書において記載される。ｃｄｍａ２０００およびＵＭＢは、「第３世代パートナーシッププロジェクト２」（３ＧＰＰ２）という名称の団体からの文書において記載される。本明細書において説明される技法は、上記の無線ネットワークと無線技術、および、他の無線ネットワークと無線技術に関して使用し得る。明確化のために、技法の幾つかの態様は、以下においてはＬＴＥに関して説明され、以下の説明の多くにおいてＬＴＥ用語が使用される。
【００２０】
[0024]図１は、ＬＴＥネットワークであり得る無線通信ネットワーク１００を示す。無線ネットワーク１００は、幾つかの発展型ノードＢ（ｅＮｏｄｅＢ）１１０と、他のネットワークエンティティと、を含み得る。ｅＮｏｄｅＢは、ＵＥと通信する局であり得、基地局、アクセスポイント、等とも呼ばれ得る。ノードＢは、ＵＥと通信する局の別の例である。
【００２１】
[0025]各ｅＮｏｄｅＢ１１０は、特定の地理上のエリアに関する通信カバレッジを提供し得る。３ＧＰＰでは、用語「セル」は、用語が使用される文脈に依存して、カバレッジエリアにサービスを提供するｅＮｏｄｅＢおよび／またはｅＮｏｄｅＢサブシステムのこのカバレッジエリアを意味することができる。
【００２２】
[0026]ｅＮｏｄｅＢは、マクロセル、ピコセル、フェムトセル、および／または他のタイプのセルに関する通信カバレッジを提供し得る。マクロセルは、相対的に大きな地理上のエリア（例えば、半径数キロメートル）を網羅し得、サービス加入契約を有するＵＥによる無制限のアクセスを許可し得る。ピコセルは、相対的に小さい地理上のエリアを網羅し得、サービス加入契約を有するＵＥによる無制限のアクセスを許可し得る。フェムトセルは、相対的に小さい地理上のエリア（例えば、ホーム）を網羅し得、フェムトセルと関連性を有するＵＥ（例えば、クローズド加入者グループ（ＣＳＧ）内のＵＥ）による制限されたアクセスを許可し得る。マクロセルに関するｅＮｏｄｅＢは、マクロｅＮｏｄｅＢと呼ばれ得る。ピコセルに関するｅＮｏｄｅＢは、ピコｅＮｏｄｅＢと呼ばれ得る。フェムトセルに関するｅＮｏｄｅＢは、フェムトｅＮｏｄｅＢまたはホームｅＮｏｄｅＢと呼ばれ得る。図１に示される例において、ｅＮｏｄｅＢ１１０ａ、１１０ｂおよび１１０ｃは、それぞれ、マクロセル１０２ａ、１０２ｂおよび１０２ｃに関するマクロｅＮｏｄｅＢであり得る。ｅＮｏｄｅＢ１１０ｘは、ＵＥ１２０ｘにサービスを提供するピコセル１０２ｘに関するピコｅＮｏｄｅＢであり得る。ｅＮｏｄｅＢ１１０ｙおよび１１０ｚは、それぞれ、フェムトセル１０２ｙおよび１０２ｚに関するフェムトｅＮｏｄｅＢであり得る。ｅＮｏｄｅＢは、１個または複数（例えば、３個）のセルをサポートし得る。
【００２３】
[0027]無線ネットワーク１００はまた、中継局を含み得る。中継局は、上流局（例えば、ｅＮｏｄｅＢまたはＵＥ）からデータおよび／または他の情報の送信を受け取りおよび下流局（例えば、ＵＥまたはｅＮｏｄｅＢ）にデータおよび／または他の情報の送信を送る局である。中継局はまた、他のＵＥのための送信を中継するＵＥであり得る。図１に示される例において、中継局１１０ｒは、ｅＮｏｄｅＢ１１０ａとＵＥ１２０ｒとの間での通信を容易にするためにｅＮｏｄｅＢ１１０ａおよびＵＥ１２０ｒと通信し得る。中継局はまた、中継ｅＮｏｄｅＢ、リレー、等と呼ばれ得る。
【００２４】
[0028]無線ネットワーク１００は、異なるタイプのｅＮｏｄｅＢ、例えば、マクロｅＮｏｄｅＢ、ピコｅＮｏｄｅＢ、フェムトｅＮｏｄｅＢ、リレー、等、を含む異質のネットワークであり得る。ｅＮｏｄｅＢのこれらの異なるタイプは、異なる送信電力レベル、異なるカバレッジエリア、および無線ネットワーク１００における干渉への異なる影響を有し得る。例えば、マクロｅＮｏｄｅＢは、高い送信電力レベル（例えば、２０ワット）を有し得、他方、ピコｅＮｏｄｅＢ、フェムトｅＮｏｄｅＢおよびリレーは、それよりも低い送信電力レベル（例えば、１ワット）を有し得る。
【００２５】
[0029]無線ネットワーク１００は、同期または非同期動作をサポートし得る。同期動作に関して、ｅＮｏｄｅＢは、同様のフレームタイミングを有し得、および、異なるｅＮｏｄｅＢからの送信は、時間の点でほぼ整合され得る。非同期動作に関して、ｅＮｏｄｅＢは、異なるフレームタイミングを有し得、および、異なるｅＮｏｄｅＢからの送信は、時間の点で整合され得ない。本明細書において説明される技法は、同期および非同期動作の両方に関して使用され得る。
【００２６】
[0030]ネットワークコントローラ１３０は、一組のｅＮｏｄｅＢに結合し、これらのｅＮｏｄｅＢに関する連繋および制御を提供し得る。ネットワークコントローラ１３０は、バックホールを介してｅＮｏｄｅＢ１１０と通信し得る。ｅＮｏｄｅＢ１１０はまた、例えば、直接的にまたは無線または有線バックホールを介して間接的に、互いと通信し得る。
【００２７】
[0031]ＵＥ１２０は、無線ネットワーク１００全体にわたって分散され得、各ＵＥは、静止型または移動型であり得る。ＵＥはまた、端末、移動局、加入者ユニット、局、等と呼ばれ得る。ＵＥは、携帯電話、携帯情報端末（ＰＤＡ）、無線モデム、無線通信デバイス、スマートフォン、ハンドヘルドデバイス、ラップトップコンピュータ、タブレット、コードレスフォン、ワイヤレスローカルループ（ＷＬＬ）局、等であり得る。ＵＥは、マクロｅＮｏｄｅＢ、ピコｅＮｏｄｅＢ、フェムトｅＮｏｄｅＢ、リレー、等と通信し得る。図１で、２つの矢印を有する実線は、ＵＥと、ダウンリンクおよび／またはアップリンクでＵＥにサービスを提供するように指定されたｅＮｏｄｅＢであるサービス提供ｅＮｏｄｅＢとの間での希望される送信を示す。２つ矢印を有するダッシュ線は、ＵＥとｅＮｏｄｅＢとの間での干渉する送信を示す。
【００２８】
[0032]ＬＴＥは、ダウンリンクでは直交周波数分割多重（ＯＦＤＭ）を、および、アップリンクでは単一周波数周波数分割多重（ＳＣ−ＦＤＭＡ）を、利用する。ＯＦＤＭおよびＳＣ−ＦＤＭＡは、共通してトーン、ビン、等とも呼ばれる複数（Ｋ個）の直交サブキャリアにシステムを分割する。各サブキャリアは、データとともに変調し得る。概して、変調シンボルは、ＯＦＤＭの場合は周波数領域でおよびＳＣ−ＦＤＭの場合は時間領域で送信される。隣接するサブキャリア間の間隔、およびサブキャリアの総数（Ｋ個）は、システム帯域幅に依存し得る。例えば、サブキャリアの間隔は、１５ｋＨｚであり得、最低のリソース割り振り（「リソースブロック」と呼ばれる）は、１２個のサブキャリア（または１８０ｋＨｚ）であり得る。
【００２９】
[0033]図２は、ＬＴＥにおいて使用されるダウンリンクフレーム構造を示す。
ダウンリンクに関する送信タイムラインは、無線フレームのユニットに分割され得る。各無線フレームは、所定の継続時間（例えば、１０ミリ秒（ｍｓ））を有し得、０乃至９のインデックスを有する１０個のサブフレームに分割され得る。各サブフレームは、２個のスロットを含み得る。従って、各無線フレームは、０乃至１９のインデックスを有する２０個のスロットを含み得る。各スロットは、Ｌのシンボル期間、例えば、（図２において示される）通常のサイクリックプリフィックスに関しては７つのシンボル期間、拡張されたサイクリックプリフィックスに関しては６つのシンボル期間、を含み得る。各サブフレームにおける２Ｌのシンボル期間には、０乃至２Ｌ−１のインデックスが割り当てられ得る。利用可能な時周波数リソースは、リソースブロックに分割され得る。各リソースブロックは、１個のスロットにおいてＮ個のサブキャリア（例えば、１２個のサブキャリア）を網羅し得る。
【００３０】
[0034]ＬＴＥにおいて、ｅＮｏｄｅＢは、ｅＮｏｄｅＢにおける各セルに関してプライマリ同期信号（ＰＳＳ）およびセカンダリ同期信号（ＳＳＳ）を送信し得る。プライマリおよびセカンダリ同期信号は、図２において示されるように、通常のサイクリックプリフィックスを有する各無線フレームのサブフレーム０および５の各々において、シンボル期間６および５でそれぞれ送信され得る。同期信号は、セル検出および獲得のためにＵＥによって使用され得る。ｅＮｏｄｅＢは、サブフレーム０のスロット１においてシンボル期間０乃至３で物理ブロードキャストチャネル（ＰＢＣＨ）を送り得る。
【００３１】
[0035]ｅＮｏｄｅＢは、図２では第１のシンボル期間全体で描かれているが、各サブフレームの第１のシンボル期間の一部分のみで物理制御フォーマットインジケータチャネル（ＰＣＦＩＣＨ）を送り得る。ＰＣＦＩＣＨは、制御チャネルのために使用されるシンボル期間の数（Ｍ）を搬送し得、ここで、Ｍは、１、２または３に等しい得、サブフレームごとに変わり得る。Ｍはまた、例えば、１０個未満のリソースブロックを有する小さいシステム帯域幅に関しては４に等しい得る。図２において示される例では、Ｍ＝３である。ｅＮｏｄｅＢは、各サブフレームの最初のＭのシンボル期間で物理ＨＡＲＱインジケータチャネル（ＰＨＩＣＨ）および物理ダウンリンク制御チャネル（ＰＤＣＣＨ）を送り得る（図２ではＭ＝３）。ＰＨＩＣＨは、ハイブリッド自動再送（ＨＡＲＱ）をサポートするために情報を搬送は得る。ＰＤＣＣＨは、ＵＥのためのアップリンクおよびダウンリンクリソース割り振りに関する情報およびアップリンクチャネルのための電力制御情報を搬送し得る。図２では第１のシンボル期間内に示されていないが、ＰＤＣＣＨおよびＰＨＩＣＨはまた、第１のシンボル期間内に含められることが理解される。同様に、図２ではそのように示されていないが、ＰＨＩＣＨおよびＰＤＣＣＨはまた、第２のおよび第３のシンボル期間の両方に存在する。ｅＮｏｄｅＢは、各サブフレームの残りのシンボル期間で物理ダウンリンク共有チャネル（ＰＤＳＣＨ）を送り得る。ＰＤＳＣＨは、ダウンリンクでのデータ送信に関してスケジューリングされたＵＥのためにデータを搬送し得る。ＬＴＥにおける様々な信号およびチャネルが、公に入手可能である、「発展型ユニバーサル地上無線アクセス（Ｅ−ＵＴＲＡ）；物理チャネルおよび変調」と題する、３ＧＰＰ  ＴＳ３６．２１１において記載される。
【００３２】
[0036]ｅＮｏｄｅＢは、ｅＮｏｄｅＢによって使用されるシステム帯域幅の中心の１．０８ＭＨｚにおいてＰＳＳ、ＳＳＳおよびＰＢＣＨを送り得る。ｅＮｏｄｅＢは、ＰＣＦＩＣＨおよびＰＨＩＣＨが送られる各シンボル期間にシステム帯域幅全体にわたってこれらのチャネルを送り得る。ｅＮｏｄｅＢは、システム帯域幅の幾つかの部分でＵＥのグループにＰＤＣＣＨを送り得る。ｅＮｏｄｅＢは、システム帯域幅の特定の部分で特定のＵＥにＰＤＳＣＨを送り得る。ｅＮｏｄｅＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また、特定のＵＥにユニキャスト方式でＰＤＳＣＨを送り得る。
【００３３】
[0037]各シンボル期間では幾つかのリソース要素を利用可能であり得る。各リソース要素は、１つのシンボル期間で１つのサブキャリアを網羅し得、実数値または複素値であり得る１個の変調シンボルを送るために使用し得る。各シンボル期間で基準信号のために使用されないリソース要素は、リソース要素グループ（ＲＥＧ）にまとめられ得る。各ＲＥＧは、１つのシンボル期間で４つのリソース要素を含み得る。ＰＣＦＩＣＨは、シンボル期間０で、周波数全体にわたってほぼ等しい間隔で配置し得る４つのＲＥＧを占有し得る。ＰＨＩＣＨは、１つまたは複数の設定可能なシンボル期間で、周波数全体にわたって広げられ得る３つのＲＥＧを占有し得る。例えば、ＰＨＩＣＨのための３つのＲＥＧは、すべて、シンボル期間０に属し得るかまたはシンボル期間０、１および２に広げられ得る。ＰＤＣＣＨは、第１のＭのシンボル期間で、利用可能なＲＥＧから選択され得る９、１８、３２または６４のＲＥＧを占有し得る。ＰＤＣＣＨに関してはＲＥＧの幾つかの組み合わせのみが許容され得る。
【００３４】
[0038]ＵＥは、ＰＨＩＣＨおよびＰＣＦＩＣＨのために使用される特定のＲＥＧを知り得る。ＵＥは、ＰＤＣＣＨに関してＲＥＧの異なる組み合わせを探索し得る。探索すべき組み合わせの数は、典型的には、ＰＤＣＣＨに関する許容された組み合わせの数未満である。ｅＮｏｄｅＢは、ＵＥが探索する組み合わせのうちのいずれかでＵＥにＰＤＣＣＨを送り得る。
【００３５】
[0039]ＵＥは、複数のｅＮｏｄｅＢのカバレッジ内に存在し得る。これらのｅＮｏｄｅＢのうちの１つは、ＵＥにサービスを提供するために選択され得る。サービス提供ｅＮｏｄｅＢは、受信電力、経路損失、信号対雑音比（ＳＮＲ）、等のような様々な判定基準に基づいて選択され得る。
【００３６】
[0040]図３は、図１におけるｅＮｏｄｅＢのうちの１つおよびＵＥのうちの
１つであり得るｅＮｏｄｅＢ１１０およびＵＥ１２０の設計のブロック図を示す。制限された関連性シナリオに関して、ｅＮｏｄｅＢ１１０は、図１におけるマクロｅＮｏｄｅＢ１１０ｃであり得、ＵＥ１２０は、ＵＥ１２０ｙであり得る。ｅＮｏｄｅＢ１１０は、アンテナ３３４ａ乃至３３４ｔで装備され得、ＵＥ１２０は、アンテナ３５２ａ乃至３５２ｒで装備され得る。
【００３７】
[0041]ｅＮｏｄｅＢ１１０で、送信プロセッサ３２０は、データソース３１２からデータをおよびコントローラ／プロセッサ３４０から制御情報を受け取り得る。制御情報は、ＰＢＣＨ、ＰＣＦＩＣＨ、ＰＨＩＣＨ、ＰＤＣＣＨ、等に関し得る。データは、ＰＤＳＣＨ、等に関し得る。プロセッサ３２０は、データシンボルおよび制御シンボルをそれぞれ獲得するためにデータおよび制御情報を処理（例えば、符号化およびシンボルマッピング）し得る。プロセッサ３２０はまた、例えば、ＰＳＳ、ＳＳＳ、およびセル固有基準信号に関する基準シンボルを生成し得る。送信（ＴＸ）多入力多出力（ＭＩＭＯ）プロセッサ３３０は、該当する場合はデータシンボル、制御シンボル、および／または基準シンボルに関する空間処理（例えば、プリコーディング）を実行し得、変調器（ＭＯＤ）３３２ａ乃至３３２ｔに出力シンボルストリームを提供し得る。各変調器３３２は、出力サンプルストリームを獲得するために（例えば、ＯＦＤＭＡ、等に関する）各々の出力シンボルストリームを処理し得る。各変調器３３２は、ダウンリンク信号を獲得するために出力サンプルストリームをさらに処理（例えば、アナログに変換、増幅、フィルタリング、およびアップコンバート）し得る。変調器３３２ａ乃至３３２ｔからのダウンリンク信号は、アンテナ３３４ａ乃至３３４ｔをそれぞれ介して送信され得る。
【００３８】
[0042]ＵＥ１２０で、アンテナ３５２ａ乃至３５２ｒは、ｅＮｏｄｅＢ１１０からダウンリンク信号を受信し得、復調器（ＤＥＭＯＤ）３５４ａ乃至３５４ｒに受信された信号をそれぞれ提供し得る。各復調器３５４は、入力サンプルを獲得するために各々の受信された信号をコンディショニング（例えば、フィルタリング、増幅、ダウンコンバート、およびデジタル化）し得る。各復調器３５４は、受信されたシンボルを獲得するために（例えば、ＯＦＤＭ、等に関する）入力サンプルをさらに処理し得る。ＭＩＭＯ検出器３５６は、すべての復調器３５４ａ乃至３５４ｒから受信されたシンボルを獲得し、該当する場合は受信されたシンボルに関するＭＩＭＯ検出を実行し、検出されたシンボルを提供し得る。受信プロセッサ３５８は、検出されたシンボルを処理（例えば、復調、デインターリーブ、および復号）し、データシンク３６０にＵＥ１２０に関する復号されたデータを提供し、コントローラ／プロセッサ３８０に復号された制御情報を提供し得る。
【００３９】
[0043]アップリンクにおいて、ＵＥ１２０で、送信プロセッサ３６４は、データソース３６２から（例えば、ＰＵＳＣＨに関する）データをおよびコントローラ／プロセッサ３８０から（例えば、ＰＵＣＣＨに関する）制御情報を受けとって処理し得る。送信プロセッサ３６４はまた、基準信号のための基準シンボルを生成し得る。送信プロセッサ３６４からのシンボルは、該当する場合は送信ＭＩＭＯプロセッサ３６６によってプリコードされ、（例えば、ＳＣ−ＦＤＭ、等に関する）変調器３５４ａ乃至３５４ｒによってさらに処理され、ｅＮｏｄｅＢ１１０に送信され得る。ｅＮｏｄｅＢ１１０で、ＵＥ１２０からのアップリンク信号は、ＵＥ１２０によって送られた復号されたデータおよび制御情報を獲得するためにアンテナ３３４によって受信され、復調器３３２ａ乃至３３２ｔによって処理され、該当する場合はＭＩＭＯ検出器３３６によって検出され、受信プロセッサ３３８によってさらに処理され得る。受信プロセッサ３３８は、データシンク３３９に復号されたデータをおよびコントローラ／プロセッサ３４０に復号された制御情報を提供し得る。
【００４０】
[0044]コントローラ／プロセッサ３４０および３８０は、ｅＮｏｄｅＢ１１０およびＵＥ１２０でそれぞれ動作を指示し得る。プロセッサ３４０および／またはｅＮｏｄｅＢ１１０の他のプロセッサおよびモジュールは、本明細書において説明される技法に関する様々なプロセスを実行し得または実行を指示し得る。プロセッサ３８０および／またはＵＥ１２０の他のプロセッサおよびモジュールはまた、図４および図５において示される機能ブロック、および／または本明細書において説明される技法に関する他のプロセスを実行し得または実行を指示し得る。メモリ３４２および３８２は、ｅＮｏｄｅＢ１１０およびＵＥ１２０に関するデータおよびプログラムコードをそれぞれ格納し得る。スケジューラ３４４は、ダウンリンクおよび／またはアップリンクでのデータ送信のためにＵＥをスケジューリングし得る。
【００４１】
[0045]上記のように、ＬＴＥ規格は、ダウンリンクおよびアップリンク送信のための２つのフレーム構造タイプを指定した。フレーム構造タイプ２  ＬＴＥ  ＴＤＤに関して、規格は、現在、各ＬＴＥ  ＴＤＤネットワークによってＳＩＢ１でブロードキャストされる様々なアップリンクおよびダウンリンクサブフレーム割り当てを有する７つの異なるＵＬ／ＤＬ構成を定義する。ＬＴＥ  ＴＹＤＤシステムに従った獲得に関して、ＵＥ１２０（図３参照）のようなＵＥは、ＳＩＢ１を復号するタスクに直面することがある。マスタ情報ブロック（ＭＩＢ）、ＳＩＢ１、およびＳＩＢ２メッセージは、概して、ＵＥがネットワーク上でＬＴＥサービスを獲得することを可能にする。しかしながら、ＳＩＢ１を復号するために、ＵＥは、ＰＤＳＣＨ上のデータによって後続される、対応するＰＤＣＣＨを復号し得る。ＰＤＣＣＨ復号を実行するために、ＵＥは、様々な物理チャネル（例えば、ＰＨＩＣＨ、ＰＣＦＩＣＨ、および／またはＰＤＣＣＨ）に関してＬＴＥシステムのリソース要素をマッピングし得る。
【００４２】
[0046]表１において以下で実証されるように、各ＬＴＥ  ＴＤＤ  ＵＬ／ＤＬ構成は、１つのサブフレームごとの各ＵＬ／ＤＬ構成に関して一意であり得る相互情報（Ｍｉ）仮説値に基づいて予め定義された物理ＨＡＲＱインジケータマッピングを有し得る。しかしながら、ＳＩＢ１を復号する前に、ＵＥは、ＬＴＥ  ＴＤＤシステムに対応するＭｉ値に気付かないことがある。異なる言い方をすると、ＵＬ／ＤＬ構成は、ＳＩＢ１がＵＥ内でＲＲＣレイヤによって復号されるまで知られないことがあり得る。この場合、ＵＥは、ＬＴＥ  ＴＤＤシステムのＳＩＢ１に対応するＰＤＣＣＨを復号するために可能なＭｉ仮説値（すなわち、０、１、および２）のうちのすべてを使用してブラインド復号を実行し得る。ＵＥはまた、正確なＭｉ値のために不良なチャネル状態における任意の復号失敗を考慮するために各Ｍｉ仮説による複数の試行を可能にし得る。その結果、長いＳＩＢ１復号時間がしばしば発生し、ＬＴＥ  ＴＤＤに関して大きな獲得時間をもたらし得る。これらの大きな獲得時間は、ＵＥがネットワーク構成に基づいて指定された時間内に近隣セルに関するセルグローバルアイデンティティ（ＣＧＩ）を報告することを試行中であるときに特に問題になることがある。さらに、大きな獲得時間は、ＳＩＢ１復号の長い遅延が高速のチャネル状態の変化に起因してＬＴＥサービスを獲得することの失敗に結び付くことがある高速モビリティシナリオの場合に問題になることがある。
【００４３】
【表１】
0006374024.tif 000002
【００４４】
[0047]本開示の態様により、ＵＥは、ＵＥが成功裏にとどまっているおよび／またはＳＩＳ１メッセージを成功裏に復号した場合に既知のＬＴＥ  ＴＤＤシステムに関するＬＴＥ  ＴＤＤ  ＵＬ／ＤＬ構成をキャッシュに格納するプロセスを実行する。例えば、ＵＥは、各ＬＴＥ  ＴＤＤセルに関して次のＳＩＢ１データのうちの１つまたは複数を記録するメモリ内のセル情報データベースを維持し得る。
【００４５】
物理セルアイデンティティ（ＰＣＩ）
周波数（ＥＡＲＦＣＮ）
帯域幅（ＢＷ）
ＴＤＤセルのＵＬ／ＤＬ構成、および／または
セルグローバルＩＤ（ＣＧＩ）
ＰＩＤ、ＥＡＲＦＣＮ、および／またはＢＷはまた、セルに関する構成を決定し、セルのＰＨＩＣＨグループマッピングに関する最初のＭｉ仮説を立てるために使用し得る。従って、これらのデータは、以後は、セルに関する構成情報と呼ばれる。
【００４６】
[0048]本開示の態様により、ＵＥは、ＬＴＥ  ＴＤＤセルでＳＩＢ１に関するＰＤＣＣＨ復号を実行する際に使用する最初のＭｉ仮説値を決定するためにセルに関する格納された構成情報を使用し得る。セルに関するＳＩＢ復号のための時間を最短にするために、ＵＥは、セルに関する構成情報が利用可能になった時に常にそのセルに関する最初のＭｉ仮説値を決定し得ることが構想される。ＵＥは、この最初のＭｉ仮説値を特定するための一意のキーとしてセル情報データベース内のセルに関する構成情報を使用し得る。ＵＥは、セル選択、ＳＩＢ修正、またはＣＧＩ報告中にＳＩＢ１復号を介してＵＥに知られるＬＴＥ  ＴＤＤセルに関するＳＩＢ１情報の任意の変更を使用してセル情報データベースを継続的に更新し得ることがさらに構想される。
【００４７】
[0049]幾つかの追加のまたは代替の態様では、キャッシュに格納されたセル情報データベースに基づいて正確なＵＬ／ＤＬ構成を決定するために１個または複数の追加のキーが含められ得る。これらの態様では、近隣セルに関連する情報もキャッシュに格納され得、ＳＩＢ１データをキャッシュに格納するときに決定された全地球測位システム（ＧＰＳ）座標のようなセルの位置が記録され得る。従って、ＰＣＩ、ＥＡＲＦＣＮ、ＢＷ、ＵＬ／ＤＬ  Ｃｆｇ、および／またはＣＧＩに加えて、位置に基づいて一意のＰＣＩの決定を可能にするためにすべての位置にわたる近隣ＰＣＩのリストが含まれ得る。従って、さらなる利点が実現され得る。例えば、ＰＣＩ／ＥＡＲＣＮ／ＢＷの組み合わせが別の位置で再使用される場合、近隣ＰＣＩおよび位置をキャッシュに格納することは、セル情報データベースのさらに向上された精度を可能にし得る。さらに追加のまたは代替の態様では、ＵＥが測位基準信号（ＰＲＳ）および／または到着の観測された時間差（ＯＴＤＡ）をサポートする場合で、ｅＮＢがセルに関するＰＲＳ／ＯＴＤＡシグナリングを構成する場合は、セル情報データベースはまた、向上された精度での位置の決定を可能にするためにＳＩＢ／ＯＴＤＡ関連シグナリングデータをキャッシュに格納し得る。
【００４８】
[0050]ブラインドＳＩＢ１復号のために要求される最大時間は、２４０ｍｓまでであり得る。例えば、３個のＭｉ値の各々に関して４回までの復号試行が存在し得る場合、最悪の場合のシナリオは、１２回の復号試行を要求することになる。１回の復号試行当たり２０ｍｓにおいて、最悪の場合のシナリオで要求される総時間は、２４０ｍｓである。しかしながら、本明細書において開示されるプロセスを使用することで、最大ＳＩＢ１復号時間は、２４０ｍｓの可能な最大値から８０ｍｓ以下の最大値に短縮され得ることが構想される。この短縮された最大ＳＩＢ復号時間は、幾つかの利益を提供し得る。例えば、ＣＧＩ報告に関する短縮された最大ＳＩＢ復号時間は、ＵＥがスリープまたは電力節約のために残りのＣＤＲＸ  ＯＦＦ継続時間を使用することを可能にし得る。公衆陸上移動体ネットワーク（ＰＬＭＮ）探索シナリオでも同様の利益を観察し得る。また、短縮された最大ＳＩＢ復号時間は、ＴＤＤセルが最高の確率で１６０ｍｓの自律的ギャップ継続時間内に近隣ＣＳＧセルのＳＩＢ１を成功裏に復号することができるようにするためにＣＳＧシナリオに関して役立つことまたは必要であることを証明し得る。また、再選択およびリダイレクションのようなモビリティシナリオの場合、ＵＥは、ブラインドＳＩＢ１復号と比較して大幅に高速にＳＩＢ１を復号して潜在的に任意の以前に知られているＬＴＥ  ＴＤＤシステムを獲得し得る。中−高モビリティシナリオでは、このより高速な獲得は、セルが再選択にとって不適切であることにつながる可能性がある遅延を回避し、従って、サービスの喪失を回避し得る。
【００４９】
[0051]同じく上記のように、ＵＥのパワーアップ時の最初の周波数スキャンでは、今日のＵＥは、獲得のための候補として最高のエネルギーのセルを優先する。しかしながら、ＵＥは、クローズド加入者グループ（ＣＳＧ）能力および／または発展型マルチメディアブロードキャストマルチキャストサービス（ｅＭＢＭＳ）能力のような希望される能力を有する別のセルに対して再選択することが必要になり得る。別のセルに対して再選択するこの潜在的な必要性は、今日のＵＥがＵＥのパワーアップ時の最初の周波数スキャン中のＵＥ能力に基づいたセルの選択においてインテリジェンスが欠けていることの結果である。
【００５０】
[0052]本開示による幾つかの態様では、上記の課題は、セル情報データベースを使用して対処され得る。例えば、セル選択および／または再選択中に、セルのＣＳＧおよび／またはｅＭＢＭＳ能力が簡単に決定され、セル能力に基づく優先的なセル選択のために使用され得る。ＵＥは、ＵＥのパワーアップ時の最初の周波数スキャン中に後での使用のためにセル情報データベース内にこのセル能力情報を格納しおよび更新し得る。この格納されたセル能力情報を使用することで、ＵＥは、より弱いセルの希望される能力に基づいて、ＵＥのパワーアップ時の最初の周波数スキャン中により弱いセルを優先的に選択し得る。従って、希望される能力を有するより弱いセルに対して再選択する必要性を回避し得る。
【００５１】
[0053]より弱いセルに対して再選択する必要性を回避することは、重要であり得る。例えば、ｅＭＢＭＳサービスを獲得する必要があるＵＥが、ｅＭＢＭＳ能力が欠けている最強のセルを選択する場合、ＵＥは、ＲＲＣアイドルモードに移行するまでｅＭＢＭＳサービスを獲得することができず、その時点で、ＵＥは、ｅＭＢＭＳ能力を有するより弱いセルに対して再選択することを優先し得る。ＵＥがＲＲＣアイドルモードに移行するために要求される時間に基づいて、被る遅延は１分までであり得る。従って、ＵＥのパワーアップ時の最初の周波数スキャン中に、セル能力情報を格納すること、および、格納された能力情報を使用することで、セル能力に基づいてセルを優先的に選択することは、ＵＥが希望されるサービスを獲得する上での大幅な遅延を回避し得る。
【００５２】
[0054]図４は、本開示の態様によりＵＥによって実行されるプロセスのブロック例を示す。ブロック４００で開始し、ＵＥは、特定のセルのためのＳＩＢ１メッセージを復号し得る。例えば、ＵＥは、ブロック４００で、サービス提供セル、ターゲットセル、または近隣セルのＳＩＢメッセージを復号し得る。さらに、ＵＥは、ブロック４００で、ブラインド復号によってセルのＳＩＢメッセージを復号し得ることが構想される。ブラインド復号に関して、ＵＥは、連続して各Ｍｉ仮説値に関して４回のＳＩＢ復号を試行し得ることが構想される。１個のＭｉ仮説値当たり４回の試行を実装することは、使用されるＭｉは正しいが、ＵＥが不良なチャネル状態に起因してＳＩＢ１を復号することができない場合にＨＡＲＱを組み合わせることが役立つことを確実にし得る。より複雑なハードウェア設計が関わる別の可能なＵＥ実装は、ＳＩＢ１が獲得されるまで近隣セルの各サブフレーム上ですべての可能なＭｉ仮説をベースにした復号を実行することである。また、ＵＥは、ブロック４００で、ハンドオーバーコマンド内でまたはハンドオーバーコマンドとともに受け取られた情報から決定された最初のＭｉ仮説値を使用してセルのＳＩＢメッセージを復号し得ることが構想される。さらに、以下において詳述されるように、ＵＥは、ブロック４００で、セル情報データベース内に格納されたセルに関する構成情報から決定された最初のＭｉ仮説値を使用してセルのＳＩＢメッセージを復号し得ることが構想される。
【００５３】
[0055]ブロック４０２で、ＵＥは、セルに関する構成情報、ＣＳＧ能力情報、および／またはｅＭＢＭＳ能力情報を獲得し得る。例えば、ＵＥは、ブロック４００で復号されたＳＩＢからセルに関する構成情報を獲得し得る。この場合、ＵＥは、ブロック４０２で、ＵＬ／ＤＬ構成、ＰＬＭＮ  ＩＤ、および／またはＣＧＩのようなセルのＰＩＤ、セルのＥＡＲＦＲＮ、セルのＢＷ、および／または追加情報を獲得し得ることが構想される。さらに、ＵＥは、セルに関するＣＳＧ能力情報および／またはセルに関するｅＭＢＭＳ能力情報を獲得し得ることが構想される。処理は、ブロック４０２からブロック４０４に進み得る。
【００５４】
[0056]ブロック４０４で、ＵＥは、セル情報データベース内にセルに関する情報を格納し得る。例えば、ＵＥは、セルに関するセル情報データベースエントリを生成または更新し、セルに関するセル情報データベースエントリ内にＰＩＤ、ＥＡＲＦＮ、ＢＷ、ＵＬ／ＤＬ構成、ＰＬＭＮ  ＩＤ、ＣＧＩ、ＣＳＧ能力情報、および／またはｅＭＢＭＳ能力情報を記録し得る。ブロック４０４で、ＵＥのプロセッサは、ＵＥのメモリにアクセスし、セルに関するデータベースエントリのために指定されたメモリ記憶場所内のデータを読み取る／データを書き込み得ることが構想される。
【００５５】
[0057]ブロック４０４で、ＵＥは、キャッシュに格納されたセル情報データベースに基づいて正確なＵＬ／ＤＬ構成を決定するためにセル情報データベース内に１つまたは複数の追加のキーを含み得ることがさらに構想される。これらの態様において、ＵＥは、ブロック４０４で、近隣セルに関連する情報をキャッシュに格納し得、セルの位置は、ＳＩＢ１データをキャッシュに格納するときに、ブロック４０４で、ＵＥによって記録し得る。従って、ＰＣＩ、ＥＡＲＦＣＮ、ＢＷ、ＵＬ／ＤＬ  Ｃｆｇ、および／またはＣＧＩに加えて、ＵＥは、位置に基づく一意のＰＣＩの決定を可能にするためにあらゆる位置にわたる近隣ＰＣＩのリストを生成、編集、および／または更新し得る。さらに、ＵＥがポジショニング基準信号（ＰＲＳ）および／または到着の観測された時間差（ＯＴＤＡ）をサポートする場合で、ｅＮＢがセルのためにＰＲＳ／ＯＴＤＡシグナリングを構成する場合は、ＵＥは、ブロック４０４で、向上された精度での位置の決定を可能にするためにセル情報データベース内のＰＲＳ／ＯＴＤＡ関連シグナリングデータをキャッシュに格納し得る。処理は、ブロック４０４からブロック４０６に進み得る。
【００５６】
[0058]ブロック４０６で、ＵＥは、動作すべき動作モードの決定を行い得る。例えば、ＵＥは、４０６Ａで示されるように、ブロック４０６で、ＵＥのパワーアップ時に最初の周波数スキャンを実行することを決定し得る。代替として、４０６Ｂで示されるように、ＵＥは、セル選択、再選択、またはリダイレクションを実行することを決定し得る。別の代替として、ＵＥは、ＣＧＩ報告および／またはＰＬＭＮ探索を実行する要求に応答して、図４０６Ｃで示されるように近隣セル測定を実行することを決定し得、その場合は、処理は、ブロック４１０に進み得る。
【００５７】
[0059]ＵＥが、ブロック４０６で、ＵＥのパワーアップ時に最初の周波数スキャンを実行することを決定する場合４０６Ａ、ＵＥは、ブロック４０８で、存在する場合に、いずれの適切なセルが希望される能力を有するかを決定するためにセル情報データベース内に格納された任意のセル能力情報を使用し得る。例えば、ブロック４０８で、ｅＭＢＭＳ能力を有するＵＥは、ｅＭＢＭＳ能力を有さないより強いセルよりもｅＭＢＭＳ能力を有するより弱いセルを優先的に選択し得る。代替として、またはさらに加えて、ＵＥは、ＣＳＧ能力を有さないより強いセルよりもＣＳＧ能力を有するより弱いセルを優先的に選択し得る。処理は、ブロック４０８からブロック４１０に進み得る。
【００５８】
[0060]ＵＥが、ブロック４０６で、セル選択、再選択、またはリダイレクションを実行することを決定した場合、ＵＥはまた、希望される能力を有するセルに合わせた選択および／または再選択を優先し得る。このプロセス中に、ＵＥは、ＣＧＳ能力および／またはｅＭＢＭＳ能力のような近隣セルの能力を決定し得る。ＵＥは、セル情報データベース内のそれらのセルに関するデータベースエントリに関するセル能力情報を更新し得ることが構想される。代替として、ＵＥは、以下において説明されるように、プロセス内のより以前へ時点に戻った時点でセル情報データベース内のそれらのセルに関するデータベースエントリを更新する際に使用されるべきセル能力情報を待ち行列に入れ得ることが構想される。処理はまた、ブロック４１０に進み得る。
【００５９】
[0061]ブロック４１０で、ＵＥは、セルに関する構成情報がセル情報データベース内に既に格納されているかどうかの決定を行い得る。例えば、ＵＥは、格納されたＵＬ／ＤＬ構成データ、以前に成功したＭｉ仮説値、またはセルに関してブロック４０４で記録された他の情報にアクセスするための一意のキーとしてセルのＰＣＩ／ＥＡＲＣＮ／ＢＷの組み合わせを使用し得る。さらに加えてまたは代替として、ＵＥは、ブロック４１０で、キャッシュに格納されたセル情報データベースに基づいて正確なＵＬ／ＤＬ構成を決定するために含められている１つまたは複数の追加のキーを使用し得る。例えば、ＵＥは、セルの記録された位置のような、近隣セルに関連するキャッシュに格納された情報にアクセスし得る。従って、ＰＣＩ、ＥＡＲＦＣＮ、ＢＷ、ＵＬ／ＤＬ  Ｃｆｇ、および／またはＣＧＩに加えて、ＵＥは、位置に基づいた一意のＰＣＩの決定を可能にするためにすべての位置にわたる近隣ＰＣＩのリストにアクセスし得る。さらに、ＵＥは、ブロック４１０で、向上された精度での位置の決定を可能にするためにキャッシュに格納されたＰＲＳ／ＯＴＤＡに関連するシグナリングデータにアクセスし得ることが構想される。ＵＥが、ブロック４１０で、セルに関する構成情報をセル情報データベース内で入手可能であると決定した場合、ＵＥは、ブロック４１０からブロック４１２に進むことによって応答し得る。しかしながら、ＵＥが、ブロック４１０で、構成情報をセル情報データベース内のセルに関して入手可能でないと決定した場合は、処理は、ブロック４１６に進み得る。
【００６０】
[0062]ブロック４１２で、ＵＥは、ＰＨＩＣＨグループマッピングのための最初のＭｉ仮説値を決定するためにセル情報データベース内に格納されたセルに関する構成情報を使用し得る。例えば、ＵＥは、セル情報データベースからセルに関するＰＩＤ、ＥＡＲＦＣＮ、および／またはＢＷを読み取り、最初のＭｉ仮説値を決定するためにＰＩＤ、ＥＡＲＦＣＮ、および／またはＢＷを使用し得ることが構想される。処理は、ブロック４１２からブロック４１４に進み得る。
【００６１】
[0063]ブロック４１４で、ＵＥは、最初のＳＩＢ復号試行において最初のＭｉ仮説値を使用してセルに関するＳＩＢメッセージを復号し得る。この復号を実行するために、ＵＥは、ネットワーク構成によって指定されたセルの周波数に同調し、１６０ｍｓという小ささであり得る指定されたＣＤＲＸ  ＯＦＦ継続時間内にＭＩＢおよびＳＩＢメッセージ復号を実行し得る。ＳＩＢメッセージ復号試行が不成功である場合、ＵＥは、ブロック４１４で、最初のＭｉ仮説値を使用して最初の復号試行を再試行し得る。例えば、ＵＥは、最初のＭｉ仮説値に関して４回までのＳＩＢメッセージ復号を試行し得ることが構想される。最初のＭｉ仮説値に関して４回までの試行を実装することは、最初のＭｉ仮説値は正しいが、ＵＥが不良なチャネル状態に起因してＳＩＢ１を復号することができない場合にＨＡＲＱを組み合わせることが役立つことを確実にし得る。ＳＩＢメッセージ復号が試行の所定の最大回数後に不成功であることを続ける場合、ＵＥは、おそらくセルのＵＬ／ＤＬ構成が変化したことに起因して、最初のＭｉ仮説値が不正確であり得ると決定し得る。ブロック４１４で、最初のＭｉ仮説値が不正確であり得ると決定した時点で、ＵＥは、セルに関するＳＩＢのブラインド復号を実行することによって応答し得る。このブラインド復号試行は、１個のＭＩ仮説値当たり複数の試行を使用し得るが、不正確であると決定された最初のＭｉ仮説値を使用したさらなる再試行を回避し得ることが構想される。
【００６２】
[0064]ブロック４１４で近隣セルのＳＩＢメッセージを成功裏に復号した時点で、ＵＥは、ブロック４１４で１つまたは複数のモード固有の機能を実行し得る。例えば、最初の周波数スキャンと動作の選択、再選択、またはリダイレクションモードにおいて、ＵＥは、セルへのハンドオーバーを開始、要求、参加、および／または完了し得る。代替として、動作の近隣セル測定モードにおいて、ＵＥは、ブロック４０６で受け取られた要求に従って、近隣セルのＣＧＩまたはＰＬＭＮ  ＩＤを報告し得る。処理は、ブロック４１４から、ブロック４０２のようなプロセス内のより早期の時点に進み、それにより、セル情報データベース内の近隣セルに関する構成情報を更新させ得る。
【００６３】
[0065]ブロック４１６で、ＵＥは、セルに関するＳＩＢメッセージをブラインドで復号し得る。例えば、セルのＰＤＣＣＨのブラインド復号は、０、１、および２のＭｉ値の連続する想定に基づき得る。ＵＥは、連続して各Ｍｉ仮説値に関して４回のＳＩＢメッセージ復号を試行し得ることが構想される。１個のＭｉ仮説値当たり４回の試行を実装することは、使用されるＭｉは正しいが、ＵＥが不良なチャネル状態に起因してＳＩＢ１を復号することができない場合にＨＡＲＱを組み合わせることが役立つことを確実にし得る。より複雑なハードウェア設計が関わる別の可能なＵＥ実装は、ＳＩＢ１が獲得されるまで近隣セルの各サブフレーム上ですべてのＭｉ仮説をベースにした復号を実行することである。
【００６４】
[0066]ブロック４１６で近隣セルのＳＩＢメッセージを成功裏にブラインドで復号した時点で、ＵＥは、ブロック４１６で１つまたは複数のモード固有の機能を実行し得る。例えば、最初の周波数スキャンと動作の選択、再選択、またはリダイレクションモードにおいて、ＵＥは、セルへのハンドオーバーを開始、要求、参加、および／または完了し得る。代替として、動作の近隣セル測定モードにおいて、ＵＥは、ブロック４０６で受け取られた要求に従って、近隣セルのＣＧＩまたはＰＬＭＮ  ＩＤを報告し得る。処理は、ブロック４１６から、ブロック４０２のようなプロセス内のより早期の時点に進み、それにより、近隣セルに関する構成情報のためのセル情報データベース内でのデータエントリの生成を行わせ得る。
【００６５】
[0067]上記のように、既存の技術に従って構成されたＵＥは、ＵＥによって実装された同期外れ（ＯＯＳ）プロシージャに関連する難題に出くわす。例えば、幾つかのＵＥによって実装されるＯＯＳプロシージャは、最初に、システム喪失イベントが発生したシステム無線アクセス技術（ＲＡＴ）を獲得することを追求する。そうする際に、ＵＥは、所定のＲＡＴに関連する、および所定のＲＡＴのために備えられたすべての帯域および周波数を探索する。このプロセスは、典型的には、電力消費の点で高価である。例えば、４つのＬＴＥ帯域をスキャンすることは、相当の電力を消費する約１３秒を要求し得る。このプロセスはまた、不良なユーザ経験をもたらし得る。例えば、使用可能な周波数がＬＴＥ帯域スキャンの最後（すなわち、第４のＬＴＥ帯域）に存在する場合、ＵＥは、使用可能な周波数に到達する前に最初の３つのＬＴＥ帯域を不必要にスキャンし、その結果生じる、ユーザによって経験される遅延は、望ましくない。さらに、ＵＥがＲＡＴを見つけることができない場合、ＯＯＳプロシージャは、直近に使用された（ＭＲＵ）、好ましいローミングリスト（ＰＲＬ）、またはユニバーサル加入者アイデンティティモジュール（ＵＳＩＭ）に従って指定され得るように、その地理上の位置内で定義された有用なシステムを探索する。繰り返すと、ＵＥは、ＲＡＴにわたって使用可能な周波数に関してスキャンする上で遅延を経験しおよび相当の電力を消費し得る。これらのプロシージャのすべてがサービスを再開できない場合、それは通常は広範な帯域スキャン後に発生し、ＵＥは、ローミングシステムを探索することを開始する。
【００６６】
[0068]前記のように、既存の技術に従って構成されたＵＥはまた、電力を節約するためにＯＯＳのテレスコーピングを使用する。そのようなテレスコープ式探索アルゴリズムは、後続する探索／スリープサイクルの周期性を繰り返し増大させる。この解決方法は、電力を有効に節約するが、支払われるペナルティは、エンドユーザにとっての遅延されたサービス能力である。サービスを回復するための積極的な探索と電力を節約するためのテレスコーピングとの間のこのトレードオフは、低い電力消費で素早くサービスを回復させることを、不可能ではないが、極端に困難にする。
【００６７】
[0069]上述されるＵＥ  ＯＯＳアルゴリズムの最適でない挙動に加えて、現在のアルゴリズムはまた、ＵＥの地理上の位置または（ＮＷ配備およびセルに対する）ＵＥの相対位置に関する概念または情報を有さないという点で限界を有する。（すべてではないが）多くのシステム喪失イベントは、パターンに基づいて発生することを同様に観測することができる。例えば、ほとんどの人々は、家と職場との間の同じルートを通るような彼らの日常生活に対して定義されたパターンを有する。さらに、駐車用構造物のような屋内のシナリオにおいても、人々は、同じまたは同様の場所に駐車し、オフィスの所在場所へのまたはオフィスの所在場所からの同じ経路を歩く傾向がある。ＵＥがそのようなルート／所在場所においてシステム喪失イベントを経験した場合、ＵＥが同じルートに沿った同じ近隣に存在する次回にほぼ同じまたは同じ所在場所においてシステム喪失イベントに出くわすことになることが高い確率で予想される。現在のＯＯＳアルゴリズムは、そのような繰り返されるユーザの行動を利用していない。さらに、現在のＯＯＳアルゴリズムのうちのいずれもまたはＰＨＹ／ＭＡＣレイヤアルゴリズムのうちのいずれも、ＲＬＦまたはＯＯＳはイベントの発生を予測することができず、それは、上で説明される繰り返しのシナリオにおいて有用である。前述されるユーザの行動の繰り返しパターンが与えられた場合、ＬＴＥ  ＲＬＦまたはＯＯＳイベントを有効な形で予測し、システムを再獲得するための予防措置を講じるかまたは代替システムを探し得る。
【００６８】
[0070]本開示の幾つかの態様は、より短い探索時間を達成することによって電力節約を向上させ、ＲＦ／モデムチップが既にオンであるかまたは使用中であるときに探索することに向けられる。これらの態様はまた、ＲＬＦまたはＯＯＳイベントにより素早く応答することによってより良いユーザ経験を達成することに向けられる。以下において詳細に説明されるように、これらの有利な技術的効果は、ＲＬＦまたはＯＯＳイベントを予測しおよび先制戦略を使用することによって達成し得る。
【００６９】
[0071]本開示の態様により、ＵＥは、可能性のあるＯＯＳおよびＲＬＦイベントに関して学習して適宜反応し得る。反応的応答は、類似のイベントが観測された場合に各イベントに関して得られた解決方法（獲得されたＰＣＬ−ＰＬＭＮ−ｅａｒＦＣＮ）を記録および使用することによって過去のＯＯＳ／ＲＬＦイベントから学習することを含み得ることが構想される。反応的応答は、以前のユーザ経験に基づいてＲＬＦ／ＯＯＳを予測し、ＬＴＥが依然としてＲＲＣ接続状態にあってＲＬＦまたはＯＯＳイベントを有することが予測されるときにサービス探索をスケジューリングすることによって適宜反応し得ることも構想される。スケジューリングされた探索はまた、ＵＥによって記録された、以前に解決されたＲＬＦまたはＯＯＳイベントの発生時に記録された解決方法を利用し得る。代替としてまたはさらに加えて、ＵＥは、上述されるように現在のＯＯＳプロシージャに従い得る。この代替策は、ＵＥがＲＬＦまたはＯＯＳイベントの発生時点で利用可能にされる代替システムを予防的に探索するためにイネーブルにされるため引き続き有利である。ＵＥは、ＲＬＦまたはＯＯＳイベントの予測時点で、メモリ内に記録された以前の解決方法を使用することを試行し、以前の解決方法が利用不能であることが証明されたことに応答して現在のＯＯＳプロシージャに従い得ることが構想される。
【００７０】
[0072]本明細書において開示されるＲＬＦまたはＯＯＳ予測メカニズムは、ＲＬＦまたはＯＯＳ予測を支援するための来歴上および地理上の／相対的位置情報をキャプチャし得る。このデータは、例えば、図４に関連して上述されるセル情報データベースの一部として実装し得る、ＲＬＦデータベース（ＲＬＦ  ＤＢ）と呼ばれるデータ構造内でキャプチャされ得る。ＲＬＦ  ＤＢは、ＲＬＦが発生したＬＴＥセルの情報の３つ組を格納し得、この３つ組は、ＬＴＥセルを一意で特定し得る。代替としてまたはさらに加えて、図４に関連して上述されるセル情報データベースは、各セルを一意で特定するために情報の３つ組を格納し得、セル情報データベースの要素は、ＲＬＦ  ＤＢによって記録された３つ組のシーケンス内のオブジェクトとして参照され得る。３つ組の例は、セルのｅａｒＦＣＮと、ＰＬＭＮ  ＩＤと、ＰＣＩと、を含み得る。従って、ＲＬＦ  ＤＢは、図４に関連して上述されるセル情報データベースに基づいて設計され得る。代替としてまたはさらに加えて、ＲＬＦデータベースは、表２内において以下で提供される現在の獲得データベース（ＡＣＱ  ＤＢ）構造に基づいて設計し得、または、新しいエントリを含めるためのＡＣＱ  ＤＢの拡張として実装し得る。
【００７１】
【表２】
0006374024.tif 000003
【００７２】
[0073]ＬＴＥ  ＲＬＦまたはＯＯＳ予測に関して、情報の２つのデータセットが使用され得ることが構想される。例えば、ＬＴＥ  ＲＬＦまたはＯＯＳイベントの発生時点で、ＵＥは、ＲＬＦ  ＤＢ内にＬＴＥセルに関する３つ組を記録することによってＬＴＥ  ＲＬＦが発生したＬＴＥセルを記録し得る。ＵＥは、ＲＬＦが発生したＬＴＥセルの前にＵＥがキャンピング（ｃａｍｐ）された２つの直前のＬＴＥまたは非ＬＴＥセルを追加で記録し得る。ＵＥはまた、これらの３個のセルの順序／シーケンスを記録し得る。その後、ＵＥによる、同じ順序で発生する情報の３つのそのような３つ組（各々が１個のＬＴＥに対応する）の観測は、ＲＬＦまたはＯＯＳ予測のための第１の条件であり得る。従って、ＵＥは、ＲＬＦが以前に発生した近隣を確認するために所定の順序で３個のＬＴＥセルのシーケンスを相関させ得る。ＵＥは、ＲＬＦまたはＯＯＳイベントの発生時点でＬＴＥセルの無線信号受信電力（ＲＳＲＰ）を記録し得、この電力レベルは、そのセル上でＲＬＦまたはＯＯＳイベントを予測するためのしきい値として使用し得る。例えば、現在のＬＴＥセルおよび以前の２個のＬＴＥセルがＲＬＦデータベース内のエントリと合致する場合で、現在のＬＴＥセルのＲＳＲＰが、所定の時間の間、そのＲＬＦ  ＤＢエントリのために記録されたＲＳＲＰを下回るかまたはＲＳＲＰに接近する場合は、ＵＥは、ＲＬＦまたはＯＯＳイベントを予測し得る。代替として、所定のＲＳＲＰしきい値は、ＲＬＦまたはＯＯＳ予測をトリガするために使用され得る。代替としてまたはさらに加えて、ＵＥは、ｎ３１０のイベントの開始時点でＲＬＦまたはＯＯＳイベントを予測し得、ここで、ｎ３１０は、ＵＥが検出された低いＲＳＲＰに起因してＰＤＣＣＨを成功裏に復号することができないときの２００ｍｓ間隔の数を示すパラメータである。異なる言い方をすると、このパラメータは、ＵＥがダウンリンクにおいて２０の連続するフレームを成功裏に復号することができない回数を示す。
【００７３】
[0074]ＬＴＥ  ＲＬＦまたはＯＯＳイベントの予測に応答して、ＵＥは、ＬＴＥから２次ＲＦ受信機のロックを獲得し得る。２次ＲＦ受信機のロックを獲得することは、例えば、同時ＬＴＥ（ＳＬＴＥ）のような二重の受信機の特徴を有するＵＥによって実行し得る。ダイバーシティ受信機のロックを放棄するＬＴＥは、リンクバジェットの有害な変化を引き起こし得るが、ＲＬＦまたはＯＯＳ予測メカニズムは、ＬＴＥが両方の受信機のロックを有する場合でさえも予測されるＲＬＦまたはＯＯＳイベントが発生する可能性がある状況においてＲＬＦまたはＯＯＳイベントを予測するように構成し得る。この予測信頼性は、部分的には、ＵＥの走行の方向を確立する、ＲＬＦ  ＤＢエントリ内の３つ組の順序を観測することによって達成され得る。
【００７４】
[0075]一旦、ＲＦロックがＬＴＥによって解除されると、通常のＯＯＳプロシージャに従われ得るか、または、最適化されたＲＬＦ  ＤＢは、ＵＥがＬＴＥセルの３つ組によって確立されたのと同じ近隣でＲＬＦに出くわした最後の時点で発見された解決方法を探索するために使用することができる。前述されるように、この能力は、２つのＲＡＴが２つの異なるＲＦチェーンで同時に動作し得るＳＬＴＥのような特徴に起因して達成し得る。
【００７５】
[0076]ＲＬＦ  ＤＢは、以前のＯＯＳ／ＲＬＦイベントに関する情報を含み得る。この情報は、同様のイベントが再発生したときに獲得アルゴリズムのための探索空間を限定するために使用され得る。ＲＬＦ  ＤＢ内の各エントリは、一意のサービスを提供する３つ組（すなわち、ｅａｒＦＣＮ、ＰＬＭＮ  ＩＤ、ＰＣＩ）によって特定され得る。サービスを提供する３つ組は、同様のＲＬＦ／ＯＳＳイベントを特定するために使用され得る。ＲＬＦデータベース内のエントリの数は、１０個のエントリのような最大値に制限され得る。ＲＬＦ  ＤＢは、ＯＯＳ／ＲＬＦイベント頻度、および、ＯＯＳ／ＲＬＦイベントの最後の発生のような、ＯＯＳ／ＲＬＦイベントに関する情報を含み得ることが構想される。また、ＲＬＦ  ＤＢは、解決方法セル、解決方法が見つけられる前にＯＯＳにおいて費やされる時間、および解決方法成功率を特定する情報のような、ＲＬＦ／ＯＯＳイベントに応答してＵＥによって見つけられた解決方法に関する情報を含み得る。表３は、幾つかの態様によるＲＬＦ  ＤＢの例を提供する。
【００７６】
【表３】
0006374024.tif 000004
【００７７】
[0077]ＲＬＦ  ＤＢ管理は、ＵＥによって実行され得る。例えば、ＵＥは、ＲＬＦ  ＤＢ格納、共有、および保守に関連する動作を実行し得る。ＵＥは、ＲＬＦ／ＯＯＳイベントを検出すること、これらのイベントの解決方法について学習すること、ＲＬＦデータベース要素に現在のＯＯＳ／ＲＬＦイベントを合致させること、および適切な反応のために非アクセス層（ＮＡＳ）とこの情報を共有することに関連する動作をさらに実行し得る。ＲＬＦデータベースを管理するに際して、ＵＥは、図５に関して以下においてさらに説明されるように、エントリ含有、解決方法含有、エントリ更新、解決方法更新、エントリ除去、および解決方法除去動作をさらに実行し得る。
【００７８】
[0078]次に図５を参照し、ＲＬＦ／ＯＯＳに関してＵＥによって実行される無線通信プロセスがさらなる詳細さで説明される。ブロック５００で、ＵＥは、新しいセルを獲得し得る。ブロック５００で新しいセルを獲得することは、当業者によって容易に理解されるように、初期化、ハンドオーバー、選択、または再選択プロシージャの結果して発生し得る。ブロック５００で実行される動作は、図４に関して上述されるプロシージャを含み得ることが構想される。処理は、ブロック５００からブロック５０２に進み得る。
【００７９】
[0079]ブロック５０２で、ＵＥは、新しいセルの構成情報を獲得し得る。例えば、ＵＥは、前述されるように１つまたは複数のＳＩＢを復号することによってセルに関する構成情報を獲得し得る。ＵＥは、ブロック５０２でセルのＰＩＤ、セルのｅａｒＦＣＮ、およびセルのＢＷを獲得し得ることが構想される。ＵＥは、図４に関して前述されるように、ＵＬ／ＤＬ構成、ＰＬＭＮ  ＩＤ、ＣＧＩ、ＣＳＧ能力情報、および／またはｅＭＢＭＳ能力情報を同時に獲得し、これらのタイプの情報を格納および使用し得ることがさらに構想される。処理は、ブロック５０２からブロック５０４に進み得る。
【００８０】
[0080]ブロック５０４で、ＵＥは、３個の直近のセルのシーケンスを追跡するためにメモリ内に格納するセル構成情報（ＣＣＩ）シーケンスを更新し得る。ＵＥは、２個のセルまたは４個またはそれよりも多いセルのような、他の長さのＣＣＩシーケンスを追跡し得ることが構想される。３個のセルのＣＣＩシーケンスは、例示の目的のために使用される。ＣＣＩシーケンスを更新することは、例えば、現在のセル（ＣＣＩ１）のＣＣＩ、前のセル（ＣＣＩ２）のＣＣＩ、および前のセルの前のセル（ＣＣＩ３）のＣＣＩでＵＥメモリ内のデータ構造をポピュレート（ｐｏｐｕｌａｔｅ）することを含み得る。例えば、ＵＥがＣＣＩ２に対応するセルからＣＣＩ１に対応するセルに移動する場合、データ構造は、ＣＣＩ２←ＣＣＩ３←ＣＣＩ４からＣＣＩ１←ＣＣＩ２←ＣＣＩ３に更新し得、ここで、ＣＣＩ４は、ＣＣＩ３に先行したセルであり、データ構造の要素間のポインタの方向は、ＵＥがそれらの各々のＣＣＩによって一意で特定されるセルを獲得した順序を示す。処理は、ブロック５０４からブロック５０６に進み得る。
【００８１】
[0081]ブロック５０６で、ＵＥは、メモリ内に格納された現在のＣＣＩシーケンスがＲＬＦデータベース内に格納されたエントリのＣＣＩシーケンスと合致するかどうかを決定し得る。ＵＥが、ブロック５０６で、メモリ内に格納されたＣＣＩシーケンスがＲＬＦデータベース内に格納されたエントリのＣＣＩシーケンスと合致しないと決定した場合は、処理は、ブロック５０８に進み得る。しかしながら、ＵＥが、ブロック５０６で、メモリ内に格納されたＣＣＩシーケンスがＲＬＦデータベース内に格納されたエントリのＣＣＩシーケンスと確かに合致すると決定して場合は、処理は、ブロック５２２に進み得る。
【００８２】
[0082]ブロック５０８で、ＵＥは、ＲＬＦまたはＯＯＳイベントが当業者によって容易に理解される方法で発生したかどうかを決定し得る。ＵＥが、ブロック５０８で、ＲＬＦまたはＯＯＳイベントが発生していないと決定した場合は、処理は、ブロック５１０に進み得る。しかしながら、ＵＥが、ブロック５０８で、ＲＬＦまたはＯＯＳイベントが発生したと決定した場合は、処理は、ブロック５１２に進み得る。
【００８３】
[0083]ブロック５１０で、ＵＥは、ハンドオーバーが当業者によって容易に理解される方法で示されるかどうかを決定し得る。ＵＥが、ブロック５１０で、ハンドオーバーが示されると決定した場合は、前述されるように、処理は、新しいセルの獲得のためにブロック５００に戻り得る。しかしながら、ＵＥが、ブロック５１０で、ハンドオーバーが示されないと決定した場合は、処理は、ＲＬＦまたはＯＯＳイベントの発生に関するさらなるモニタリングのためにブロック５０８に戻り得る。
【００８４】
[0084]ブロック５１２で、ＵＥは、当業者によって容易に理解される方法で新しいセルを獲得することによってＲＬＦまたはＯＯＳイベントに応答し得る。ブロック５１２で実行される動作は、図４に関して上述されるプロシージャを含み得る。処理は、ブロック５１２からブロック５１４に進み得る。
【００８５】
[0085] ブロック５１４で、ＵＥは、ブロック５０２に関して前述される方法で新しいセルのＣＣＩを獲得し得る。処理は、ブロック５１４からブロック５１５に進み得る。
【００８６】
[0086]ブロック５１５で、ＵＥは、ＲＬＦに応答して、ＲＬＦデータベースにエントリを加えるべきかどうかを決定し得る。この決定を行うに際して、ＵＥは、ＲＬＦデータベースエントリおよび／またはそれらのエントリに関連する解決方法の含有に関連する１つまたは複数の条件を観測し得ることが構想される。例えば、ＲＬＦ  ＤＢエントリ含有条件として、ＵＥは、サービス提供セルで宣言されたＲＬＦ／ＯＯＳがＲＬＦ  ＤＢ内に合致しているサービス提供３つ組（すなわち、ＰＣＩ、ｅａｒＦＣＮ、ＰＬＭＮ）シーケンスを有さないことを要求し得る。エントリ含有のためにＵＥによって要求される別の条件は、ＯＯＳで費やされる時間が予め定義された上限（例えば、５分）を超えないという条件であり得る。さらに、ＲＬＦ  ＤＢ解決方法含有条件として、ＵＥは、現在の３つ組シーケンスに対応するサービス提供３つ組が表内に存在すること、および、サービス提供セル上にとどまっている間に無線リソース制御（ＲＲＣ）がＯＯＳ／ＲＬＦを宣言することを要求し得る。解決方法含有のためにＵＥによって要求される別の条件は、解決方法が次の試験、すなわち、新しいセルの成功裏の獲得、新しいセルにおける強制的なＳＩＢ（すなわち、ＭＩＢ、ＳＩＢ１、およびＳＩＢ２）の成功裏の読み取り、新しいセルが禁止されていない、および、ＯＯＳで費やされる時間が予め定義された上限を超えない、に合格することの条件であり得る。解決方法含有のためにＵＥによって要求されるさらなる条件は、新しいセルの解決法３つ組（すなわち、ＰＣＩ、ｅａｒＦＣＮ、ＰＬＭＮ）がＲＬＦ  ＤＢ内に既に存在しないことであり得る。ＵＥが、ブロック５１５で、ＲＬＦ  ＤＢにエントリを加えないことを決定した場合は、処理は、ブロック５０４に戻り得る。しかしながら、ＵＥが、ブロック５１５で、ＲＬＦ  ＤＢにエントリを加えることを決定した場合は、処理は、ブロック５１６に進み得る。
【００８７】
[0087]ブロック５１６で、ＵＥは、ＲＬＦ  ＤＢからエントリを除去すべきかどうかを決定し得る。ブロック５１６で、ＲＬＦ  ＤＢからエントリを除去すべきかどうかを決定する際に、ＵＥは、ＲＬＦデータベースエントリの除去および／またはそれらのエントリに関連する解決方法に関連する１つまたは複数の条件を観測し得ることが構想される。例えば、ＲＬＦ  ＤＢエントリ除去条件として、ＵＥは、新しいエントリが加えられるべきであり、リストが最大の長さにあるごとにＲＬＦ  ＤＢの最後のエントリが除去されることを要求し得る。最後のエントリは、次のように計算される、最低のＳｏｒｔ_ｓｃｏｒｅを有するエントリであり得ることが構想される。
Ｓｏｒｔ_ｓｃｏｒｅ＝ Ｏｃｃｕｒｒｅｎｃｅ_Ｃｏｕｎｔ／（Ｌａｓｔ_Ｏｃｃｕｒｒｅｎｃｅ以来の時間）＋１／ＮΣＳｕｃｃｅｓｓ_Ｃｏｕｎｔ／（Ｌａｓｔ_Ｓｕｃｃｅｓｓ以来の時間）
ここで、Ｎは、解決方法リスト内の要素の数であり、Ｏｃｃｕｒｒｅｎｃｅ_Ｃｏｕｎｔは、ＲＬＦ／ＯＳＳ発生の数であり、Ｌａｓｔ_Ｏｃｃｕｒｒｅｎｃｅは、直近のＲＬＦ／ＯＳＳ発生の日時であり、Ｓｕｃｃｅｓｓ_Ｃｏｕｎｔは、成功の数であり、Ｌａｓｔ_Ｓｕｃｃｅｓｓは、直近の成功の日時である。ブロック５１６で、ＲＬＦ  ＤＢからエントリを除去することが決定された場合、処理は、ブロック５１８に進み得る。しかしながら、ブロック５１６で、ＲＬＦ  ＤＢからエントリを除去しないことが決定された場合、処理は、ブロック５２０に進み得る。
【００８８】
[0088]ブロック５１８で、ＵＥは、最低のソートスコアを有するエントリを除去することによってＲＬＦ  ＤＢを切り詰め得る。処理は、ブロック５１８からブロック５２０に進み得る。
【００８９】
[0089]ブロック５２０で、ＵＥは、ＵＥのメモリ内に現在格納されているＣＣＩシーケンスによってインデキシングされたＲＬＦ  ＤＢエントリを加え得る。新しく獲得されたセルのＣＣＩは、ブロック５１５で、解決方法を加えるための条件が満たされると決定したことに応答してＲＬＦに関する解決方法としてエントリ内に格納され得ることが構想される。処理は、ブロック５２０からブロック５０４に戻り得る。
【００９０】
[0090]ブロック５２２で、ＵＥは、前述されるように、ＲＬＦまたはＯＯＳイベントが予測されるかどうかの決定を行い得る。例えば、現在のＬＴＥセルのＲＳＲＰが、所定の時間の間、そのＲＬＦ  ＤＢエントリに関して記録されたＲＳＲＰを下回るかまたはＲＳＲＰに接近する場合、ＵＥは、ＲＬＦまたはＯＯＳイベントを予測し得る。代替として、所定のＲＳＲＰしきい値は、ＲＬＦまたはＯＯＳイベント予測をトリガするために使用され得る。代替としてまたはさらに加えて、前述されるように、ＵＥは、ｎ３１０のイベントの開始時点でＲＬＦまたはＯＯＳイベントを予測し得る。ＵＥが、ブロック５２２で、ＲＬＦまたはＯＯＳが予測されると決定した場合、処理は、ブロック５２８に進み得る。しかしながら、ＵＥが、ブロック５２２で、ＲＬＦまたはＯＯＳイベントが予測されないと決定した場合は、処理は、ブロック５２４に進み得る。
【００９１】
[0091]ブロック５２４で、ＵＥは、ハンドオーバーが当業者によって容易に理解される方法で示されるかどうかを決定し得る。ＵＥが、ブロック５２４で、ハンドオーバーが示されていると決定した場合、処理は、新しいセルの獲得のためにブロック５００に戻り得る。しかしながら、ＵＥが、ブロック５２４で、ハンドオーバーが示されていないと決定した場合、処理は、ＲＬＦまたはＯＯＳイベントの予測に関してモニタするためにブロック５２２に戻り得る。
【００９２】
[0092]ブロック５２８で、ＵＥは、前述された方法で新しいセルを獲得し得る。例えば、ＵＥは、ＬＴＥから２次的ＲＦ受信機のロックを獲得し得る。一旦、ＲＦロックがＬＴＥによって解除されると、通常のＯＯＳプロシージャに従われ得るか、または、最適化されたＲＬＦ  ＤＢは、ＵＥがＬＴＥセルの３つ組によって確立されたのと同じ近隣でＲＬＦに出くわした最後の時点で発見された解決方法を探索するために使用されることができる。ＲＬＦ  ＤＢエントリに関して複数の解決方法が存在する場合、ＵＥは、最も成功した解決方法を選択的に使用し得ることが構想される。代替としてまたはさらに加えて、ＵＥは、例えば、ＣＳＧ能力および／またはｅＭＢＭＳ能力に関するＵＥの現在のニーズを最も良く満たす解決方法を選択的に使用するために図４に関して上述されるプロシージャを使用し得る。ブロック５２８で実行される動作は、図４に関して上述されるプロシージャを含み得ることもまた構想される。処理は、ブロック５２８からブロック５３０に進み得る。
【００９３】
[0093]ブロック５３０で、ＵＥは、ブロック５０２および５１４に関して前述される方法で新しいセルのＣＣＩを獲得し得る。処理は、ブロック５３０からブロック５３２に進み得る。
【００９４】
[0094]ブロック５３２で、ＵＥは、ＲＬＦまたはＯＯＳイベント予測に応答して、ＲＬＦデータベースのエントリを更新すべきかどうかを決定し得る。この決定を行うに際して、ＵＥは、データベースエントリおよび／またはそれらのエントリに関連する解決方法の更新に関連する１つまたは複数の条件を観測し得ることが構想される。例えば、ＲＬＦ  ＤＢエントリ更新条件として、ＵＥは、サービス提供セルで宣言されたＲＬＦ／ＯＯＳがＲＬＦ  ＤＢ内に合致しているサービス提供３つ組（すなわち、ＰＣＩ、ｅａｒＦＣＮ、ＰＬＭＮ）シーケンスを有することを要求し得る。この条件が満たされる場合、ＵＥは、モビリティ、ＲＬＦ／ＯＳＳ発生の数（Ｏｃｃｕｒｅｎｃｅ_Ｃｏｕｎｔ）、および／または直近のＲＬＦ／ＯＳＳ発生（Ｌａｓｔ_Ｏｃｃｕｒｅｎｃｅ）の日時に関連する情報を更新し得る。ＵＥは、そのエントリに関する解決方法リストに解決方法を加え得ることがさらに構想される。さらに、ＲＬＦ  ＤＢ解決方法更新条件として、ＵＥは、ＲＬＦ  ＤＢ内に記録された現在の３つ組のシーケンスに合致するサービス提供３つ組を有するサービス提供セル上にとどまる間にＯＯＳ／ＲＬＦを宣言後に成功の解決方法が見つけられること、および、解決方法３つ組（すなわち、ＰＣＩ、ｅａｒＦＣＮ、ＰＬＭＮ）がＲＬＦ  ＤＢ内の対応するサービス提供エントリ内の解決方法として存在することを要求し得る。ＵＥはまた、解決方法更新条件として、解決方法が次の試験、すなわち、新しいセルの成功裏の獲得、新しいセルにおける強制的なＳＩＢ（すなわち、ＭＩＢ、ＳＩＢ１、およびＳＩＢ２）の成功裏の読み取り、新しいセルが禁止されていない、および、ＯＯＳで費やされる時間が予め定義された上限を超えない、に合格することを要求し得る。これらの解決方法更新条件が満たされる場合、ＵＥは、ＯＯＳで費やされた時間、成功発生の数（Ｓｕｃｃｅｅ_Ｃｏｕｎｔ）、および／または直近の成功発生（Ｌａｓｔ_Ｓｕｃｃｅｓｓ）の日時に関連する情報を更新することを決定し得る。処理は、ブロック５３２からブロック５３４に進み得る。
【００９５】
[0095]ブロック５３４で、ＵＥは、更新されるべきエントリの解決方法リストから解決方法を除去すべきかどうかを決定し得る。例えば、解決方法除去条件として、ＵＥは、ＲＬＦ  ＤＢエントリの解決方法リストに新しい解決方法が加えられるべきであり、リストがその最大長さになるたびに解決方法リスト内の最後のエントリが除去されることを要求し得ることが構想される。最後のエントリは、次のように計算される、最低のＳｏｌｕｔｉｏｎ_ｓｃｏｒｅを有するエントリであり得ることが構想される。
Ｓｏｌｕｔｉｏｎ_ｓｃｏｒｅ＝Ｓｕｃｃｅｅ_Ｃｏｕｎｔ／Ｌａｓｔ_Ｓｕｃｃｅｓｓ以来の時間）
処理は、ブロック５３４からブロック５３６に進み得る。
【００９６】
[0096]ブロック５３６で、ＵＥは、最低のＳｏｌｕｔｉｏｎ_ｓｃｏｒｅを有するエントリを除去することによってＲＬＦ  ＤＢエントリの解決方法リストを切り詰め得る。処理は、ブロック５３６からブロック５３８に進み得る。
【００９７】
[0097]ブロック５３８で、ＵＥは、ＲＬＦ  ＤＢエントリを更新し得る。例えば、ＵＥは、ＲＬＦ  ＤＢエントリの解決方法リストに解決方法を加え得る。代替としてまたはさらに加えて、ＵＥは、ＯＯＳで費やされた時間、成功発生の数（Ｓｕｃｃｅｅ_Ｃｏｕｎｔ）、および／または直近の成功発生（Ｌａｓｔ_Ｓｕｃｃｅｓｓ）の日時に関連する情報を更新し得る。
【００９８】
[0098] 情報および信号は、様々な異なる技術および技法のうちのいずれかを用いて表し得ることを当業者は理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、またはそれらの任意の組合せによって表すことができる。
【００９９】
[0099]本明細書における開示と関係させて説明される様々な例示的な論理ブロック、モジュール、回路、およびアルゴリズムのステップは、電子ハードウェア、コンピュータソフトウェア、または両方の組み合わせとして実装し得ることを当業者はさらに認識するであろう。ハードウェアとソフトウェアのこの互換性を明確に例示するため、上記においては、様々な例示的なコンポーネント、ブロック、モジュール、回路、およびステップが、それらの機能の観点で一般的に説明されている。該機能がハードウェアとしてまたはソフトウェアとして実装されるかは、特定の適用例および全体的システムに対する設計制約に依存する。当業者は、説明されている機能を各々の特定の適用例に合わせて様々な形で実装し得るが、該実装決定は、本開示の適用範囲からの逸脱を生じさせるものであるとは解釈されるべきではない。
【０１００】
[00100]本明細書における開示と関係させて説明される様々な例示的な論理ブロック、モジュール、および回路は、ここにおいて説明される機能を実行するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲート論理、ディスクリートトランジスタ論理、ディスクリートハードウェアコンポーネント、またはそれらの任意組合せ、を用いて実装または実行し得る。汎用プロセッサはマイクロプロセッサであり得るが、代替においては、プロセッサは、従来のどのようなプロセッサ、コントローラ、マイクロコントローラ、またはステートマシンであってもよい。プロセッサはまた、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、または任意の他のそのような構成、として実装し得る。
【０１０１】
[00101]ここにおける開示と関係させて説明される方法またはアルゴリズムのステップは、直接ハードウェア内において、プロセッサによって実行されるソフトウェアモジュール内において、またはそれらの２つの組み合わせ内において具現化し得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、取り外し可能なディスク、ＣＤ−ＲＯＭ、または当業界において既知であるその他のあらゆる形態の記憶媒体において常駐し得る。例示的な記憶媒体は、プロセッサが記憶媒体から情報を読み出すことおよび記憶媒体に情報を書き込むことができるような形でプロセッサに結合される。代替において、記憶媒体は、プロセッサと一体化させ得る。プロセッサおよび記憶媒体は、ＡＳＩＣ内に常駐し得る。ＡＳＩＣは、ユーザ端末内に常駐し得る。代替において、プロセッサおよび記憶媒体は、ユーザ端末内において個別コンポーネントとして常駐し得る。
【０１０２】
[00102]１つまたは複数の例示的な設計において、説明される機能は、ハードウェア、ソフトウェア、ファームウェア、またはそれらの任意の組み合わせに実装し得る。ソフトウェアに実装される場合は、それらの機能は、コンピュータ可読媒体において格納することまたは１つ以上の命令またはコードとして送信し得る。コンピュータ可読媒体は、コンピュータ記憶媒体と、１つの場所から他へのコンピュータプログラムの転送を容易にする任意の媒体を含む通信媒体と、の両方を含む。コンピュータ可読記憶媒体は、汎用または専用コンピュータによってアクセス可能な任意の利用可能な媒体であり得る。例として、および限定することなしに、そのようなコンピュータ可読媒体は、ＲＡＭ、ＲＯＭ、ＥＥＰＲＯＭ、ＣＤ−ＲＯＭまたはその他の光学ディスクストレージ、磁気ディスクストレージまたはその他の磁気記憶デバイス、または、希望されるプログラムコード手段を命令またはデータ構造の形態で搬送または格納するために用いることができおよび汎用または専用コンピュータ、または汎用または専用プロセッサによってアクセスすることができる他の媒体、を備えることができる。さらに、任意の接続は、コンピュータ可読媒体であると適切に呼ばれる。例えば、ソフトウェアが、同軸ケーブル、光ファイバケーブル、より対線、デジタル加入者ライン（ＤＳＬ）、または、赤外線、無線、およびマイクロ波のような無線技術を用いてウェブサイト、サーバ、または他の遠隔ソースから送信される場合、同軸ケーブル、光ファイバケーブル、より対線、ＤＳＬは、または、赤外線、無線、およびマイクロ波のような無線技術は、媒体の定義の中に含まれる。本明細書において用いられるときのディスク（ｄｉｓｋおよびｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを再生し、ｄｉｓｃは、レーザを用いて光学的にデータを再生する。上記の組み合わせも、コンピュータ可読媒体の適用範囲内に含められるべきである。
【０１０３】
[00103]請求項内を含む本明細書において使用される場合、表現“および／または”は、２つ以上の項目のリストにおいて使用されるときには、記載される項目のうちのいずれか１つそれ自体を使用することができること、または、記載される項目のうちの２つ以上のあらゆる組み合わせを使用することができることを意味する。例えば、ある構成が、構成要素Ａ、Ｂ、および／またはＣを含むとして記述される場合は、その構成は、Ａのみ、Ｂのみ、Ｃのみ、ＡとＢの組み合わせ、ＡとＣの組み合わせ、ＢとＣの組み合わせ、または、Ａ、Ｂ、およびＣの組み合わせを含むことができる。さらに、請求項内を含む本明細書において使用される場合、“〜のうちの少なくとも１つの”によって始まる項目のリストにおいて使用される“または”は、離接的リストを示し、従って、例えば、“Ａ、Ｂ、またはＣのうちの少なくとも１つの”のリストは、ＡまたはＢまたはＣまたはＡＢまたはＡＣまたはＢＣまたはＡＢＣ（すなわち、ＡおよびＢおよびＣ）を意味する。
【０１０４】
[00104]本開示の前の説明は、任意の当業者が本開示を製造または使用することを可能にするために提供される。本開示に対する様々な修正は、当業者にとって容易に明確になるであろう、およびここにおいて定められる一般原理は、本発明の精神または適用範囲から逸脱せずにその他の変形に対して適用され得る。以上のように、本開示は、ここにおいて示される例および設計に限定されるものではなく、ここにおいて開示される原理および新規の特徴に一致する限りにおいて最も広範な適用範囲が認められるべきである。
以下に本願発明の当初の特許請求の範囲に記載された発明を付記する。
［Ｃ１］
無線通信のための方法であって、
ユーザ機器（ＵＥ）によって、セルに関する構成情報、クローズド加入者グループ（ＣＳＧ）能力情報、または発展型マルチメディアブロードキャストマルチキャストサービス（ｅＭＢＭＳ）能力情報のうちの少なくとも１つを獲得することと、
前記ＵＥによって、セル情報データベース内に前記セルに関する前記獲得された情報を格納することと、を備える、方法。
［Ｃ２］
前記ＵＥによって、セルに関するシステム情報ブロック（ＳＩＢ）メッセージを復号することと、
前記復号されたＳＩＢメッセージから前記セルに関する前記構成情報を獲得することと、
前記ＵＥによって、前記セルの物理ハイブリッド−自動再送要求（ＨＡＲＱ）インジケータチャネル（ＰＨＩＣＨ）グループマッピングのための最初の相互情報（Ｍｉ）仮説値を決定するために前記セル情報データベース内の前記セルに関する前記構成情報を使用することと、をさらに備える、
Ｃ１に記載の方法。
［Ｃ３］
前記セル情報データベース内に前記セルに関する前記構成情報を格納することは、前記セル情報データベース内に前記セルの位置を格納することを含み、測位基準信号（ＰＲＳ）、到着の観測された時間差（ＯＴＤＡ）、または決定された全地球測位システム（ＧＰＳ）座標のうちの少なくとも１つに関連するデータをキャッシュに格納することを含み、前記方法は、
前記ＵＥによって、前記セルを一意で特定するために、前記位置情報を含む、前記セル情報データベース内の前記セルに関する前記構成情報を使用することをさらに備える、
Ｃ１に記載の方法。
［Ｃ４］
前記セル情報データベース内に前記セルに関する前記情報を格納することは、前記ＣＳＧ能力情報を格納することを含み、前記方法は、
前記ＵＥのパワーアップ時の最初の周波数スキャン中に、前記セルがＣＳＧ能力を有すること、および、別のセルがＣＳＧ能力を有さないことを決定するために前記セル情報データベースを使用することと、
前記セルがＣＳＧ能力を有さない前記別のセルよりも低い信号強度を前記ＵＥにおいて有するにもかかわらず前記セルの前記ＣＳＧ能力に基づいて前記セル上での最初の獲得を優先することと、をさらに備える、
Ｃ１に記載の方法。
［Ｃ５］
前記セル情報データベース内に前記セルに関する前記構成情報を格納することは、前記ｅＭＢＭＳ能力情報を格納することを含み、前記方法は、
前記ＵＥのパワーアップ時の最初の周波数スキャン中に、前記セルがｅＭＢＭＳ能力を有すること、および、別のセルがｅＭＢＭＳ能力を有さないことを決定するために前記セル情報データベースを使用することと、
前記セルがＣＳＧ能力を有さない前記別のセルよりも低い信号強度を前記ＵＥにおいて有するにもかかわらず前記セルの前記ｅＭＢＭＳ能力に基づいて前記セル上での最初の獲得を優先することと、をさらに備える、
Ｃ１に記載の方法。
［Ｃ６］
前記格納することは、前記セル上での無線リンク障害（ＲＬＦ）または同期外（ＯＯＳ）イベントのうちの少なくとも１つに応答して、前記セルのセル構成情報（ＣＣＩ）および前記ＵＥによって以前に獲得された１つまたは複数の以前のセルの１つまたは複数のＣＣＩのシーケンスを記録し、ここにおいて、前記構成情報は、前記セルの物理的セルアイデンティティ（ＰＣＩ）と、公衆陸上無線ネットワーク（ＰＬＭＮ）と、周波数（ｅａｒＦＣＮ）と、を含み、前記方法は、
現在のＣＣＩシーケンスと前記セル情報データベース内に格納された１つまたは複数のＣＣＩシーケンスとの間の合致を決定することと、
前記マッチを前記決定することに少なくとも部分的に応答して、ＲＬＦまたはＯＯＳイベントのうちの少なくとも１つを予測することと、をさらに備える、
Ｃ１に記載の方法。
［Ｃ７］
前記格納することは、前記ＲＬＦまたはＯＯＳイベントの発生または予測のうちの少なくとも１つに引き続いての別のセルの成功裏の獲得に少なくとも部分的に応答して、ＣＣＩの前記シーケンスに関連する解決方法として前記別のセルのＣＣＩを記録することをさらに含み、前記方法は、
前記別のセルを優先的に獲得するために、前記ＲＬＦまたはＯＯＳイベントを前記予測することに少なくとも部分的に応答して、ＣＣＩの前記シーケンスに関連する前記解決方法を使用することをさらに備える、
Ｃ６に記載の方法。
［Ｃ８］
無線通信のための装置であって、
ユーザ機器（ＵＥ）によって、セルに関する構成情報、クローズド加入者グループ（ＣＳＧ）能力情報、または発展型マルチメディアブロードキャストマルチキャストサービス（ｅＭＢＭＳ）能力情報のうちの少なくとも１つを獲得するための手段と、
前記ＵＥによって、セル情報データベース内に前記セルに関する前記獲得された情報を格納するための手段と、を備える、装置。
［Ｃ９］
前記ＵＥによって、セルのためのシステム情報ブロック（ＳＩＢ）メッセージを復号するための手段と、
前記復号されたＳＩＢメッセージから前記セルに関する前記構成情報を獲得するための手段と、
前記ＵＥによって、前記セルの物理ハイブリッド−自動再送要求（ＨＡＲＱ）インジケータチャネル（ＰＨＩＣＨ）グループマッピングのための最初の相互情報（Ｍｉ）仮説値を決定するために前記セル情報データベース内の前記セルに関する前記構成情報を使用するための手段と、をさらに備える、
Ｃ８に記載の装置。
［Ｃ１０］
前記セル情報データベース内に前記セルに関する前記構成情報を格納するための前記手段は、前記セル情報データベース内に前記セルの位置を格納するための手段を含み、測位基準信号（ＰＲＳ）、到着の観測された時間差（ＯＴＤＡ）、または決定された全地球測位システム（ＧＰＳ）座標のうちの少なくとも１つに関連するデータをキャッシュに格納するための手段を含み、前記装置は、
前記ＵＥによって、前記セルを一意で特定するために、前記位置情報を含む、前記セル情報データベース内の前記セルに関する前記構成情報を使用するための手段をさらに備える、
Ｃ８に記載の装置。
［Ｃ１１］
前記セル情報データベース内に前記セルに関する前記情報を格納するための前記手段は、前記ＣＳＧ能力情報を格納するための手段を含み、前記装置は、
前記ＵＥのパワーアップ時の最初の周波数スキャン中に、前記セルがＣＳＧ能力を有すること、および、別のセルがＣＳＧ能力を有さないことを決定するために前記セル情報データベースを使用するための手段と、
前記セルがＣＳＧ能力を有さない前記別のセルよりも低い信号強度を前記ＵＥにおいて有するにもかかわらず前記セルの前記ＣＳＧ能力に基づいて前記セル上での最初の獲得を優先するための手段と、をさらに備える、
Ｃ８に記載の装置。
［Ｃ１２］
前記セル情報データベース内に前記セルに関する前記構成情報を格納するための前記手段は、前記ｅＭＢＭＳ能力情報を格納するための手段を含み、前記装置は、
前記ＵＥのパワーアップ時の最初の周波数スキャン中に、前記セルがｅＭＢＭＳ能力を有すること、および、別のセルがｅＭＢＭＳ能力を有さないことを決定するために前記セル情報データベースを使用するための手段と、
前記セルがＣＳＧ能力を有さない前記別のセルよりも低い信号強度を前記ＵＥにおいて有するにもかかわらず前記セルの前記ｅＭＢＭＳ能力に基づいて前記セル上での最初の獲得を優先するための手段と、をさらに備える、
Ｃ８に記載の装置。
［Ｃ１３］
格納するための前記手段は、前記セル上での無線リンク障害（ＲＬＦ）または同期外（ＯＯＳ）イベントのうちの少なくとも１つに応答して、前記セルのセル構成情報（ＣＣＩ）および前記ＵＥによって以前に獲得された１つまたは複数の以前のセルの１つまたは複数のＣＣＩのシーケンスを記録するための手段、ここにおいて、前記構成情報は、前記セルの物理的セルアイデンティティ（ＰＣＩ）と、公衆陸上無線ネットワーク（ＰＬＭＮ）と、周波数（ｅａｒＦＣＮ）と、を含み、前記方法は、
現在のＣＣＩシーケンスと前記セル情報データベース内に格納された１つまたは複数のＣＣＩシーケンスとの間の合致を決定するための手段と、
前記合致を前記決定することに少なくとも部分的に応答して、ＲＬＦまたはＯＯＳイベントのうちの少なくとも１つを予測するための手段と、をさらに備える、
Ｃ８に記載の装置。
［Ｃ１４］
格納するための前記手段は、前記ＲＬＦまたはＯＯＳイベントの発生または予測のうちの少なくとも１つに引き続いての別のセルの成功裏の獲得に少なくとも部分的に応答して、ＣＣＩの前記シーケンスに関連する解決方法として前記別のセルのＣＣＩを記録するための手段をさらに含み、前記方法は、
前記別のセルを優先的に獲得するために、前記ＲＬＦまたはＯＯＳイベントを前記予測することに少なくとも部分的に応答して、ＣＣＩの前記シーケンスに関連する前記解決方法を使用するための手段をさらに備える、
Ｃ１３に記載の装置。
［Ｃ１５］
１つまたは複数のプロセッサによって実行されると、前記１つまたは複数のプロセッサに、
ユーザ機器（ＵＥ）によって、セルに関する構成情報、クローズド加入者グループ（ＣＳＧ）能力情報、または発展型マルチメディアブロードキャストマルチキャストサービス（ｅＭＢＭＳ）能力情報のうちの少なくとも１つを獲得すること、および
前記ＵＥによって、セル情報データベース内に前記セルに関する前記獲得された情報を格納すること、を行わせる命令が記録されたコンピュータ可読媒体。
［Ｃ１６］
前記命令は、前記１つまたは複数のプロセッサに、
前記ＵＥによって、セルに関するシステム情報ブロック（ＳＩＢ）メッセージを復号すること、
前記復号されたＳＩＢメッセージから前記セルに関する前記構成情報を獲得すること、および
前記ＵＥによって、前記セルの物理ハイブリッド−自動再送要求（ＨＡＲＱ）インジケータチャネル（ＰＨＩＣＨ）グループマッピングのための最初の相互情報（Ｍｉ）仮説値を決定するために前記セル情報データベース内の前記セルに関する前記構成情報を使用すること、を行わせる、
Ｃ１５に記載のコンピュータ可読媒体。
［Ｃ１７］
前記命令は、前記１つまたは複数のコンピュータに、前記セル情報データベース内に前記セルの位置を格納することによって少なくとも部分的に前記セル情報データベース内に前記セルに関する前記構成情報を格納することをさらに行わせ、測位基準信号（ＰＲＳ）、到着の観測された時間差（ＯＴＤＡ）、または決定された全地球測位システム（ＧＰＳ）座標のうちの少なくとも１つに関連するデータをキャッシュに格納することを含み、ここにおいて、前記命令は、前記１つまたは複数のコンピュータに、
前記ＵＥによって、前記セルを一意で特定するために、前記位置情報を含む、前記セル情報データベース内の前記セルに関する前記構成情報を使用することをさらに行わせる、
Ｃ１５に記載のコンピュータ可読媒体。
［Ｃ１８］
前記命令は、前記１つまたは複数のコンピュータに、前記ＣＳＧ能力情報を格納することによって少なくとも部分的に前記セル情報データベース内に前記セルに関する前記情報を格納することをさらに行わせ、ここにおいて、前記命令は、前記１つまたは複数のコンピュータに、
前記ＵＥのパワーアップ時の最初の周波数スキャン中に、前記セルがＣＳＧ能力を有すること、および、別のセルがＣＳＧ能力を有さないことを決定するために前記セル情報データベースを使用すること、および
前記セルがＣＳＧ能力を有さない前記別のセルよりも低い信号強度を前記ＵＥにおいて有するにもかかわらず前記セルの前記ＣＳＧ能力に基づいて前記セル上での最初の獲得を優先すること、をさらに行わせる、
Ｃ１５に記載のコンピュータ可読媒体。
［Ｃ１９］
前記命令は、前記１つまたは複数のコンピュータに、前記ｅＭＢＭＳ能力情報を格納することによって少なくとも部分的に前記セル情報データベース内に前記セルに関する前記構成情報を格納することをさらに行わせ、ここにおいて、前記命令は、前記１つまたは複数のコンピュータに、
前記ＵＥのパワーアップ時の最初の周波数スキャン中に、前記セルがｅＭＢＭＳ能力を有すること、および、別のセルがｅＭＢＭＳ能力を有さないことを決定するために前記セル情報データベースを使用すること、および
前記セルがＣＳＧ能力を有さない前記別のセルよりも低い信号強度を前記ＵＥにおいて有するにもかかわらず前記セルの前記ｅＭＢＭＳ能力に基づいて前記セル上での最初の獲得を優先すること、をさらに行わせる、
Ｃ１５に記載のコンピュータ可読媒体。
［Ｃ２０］
前記命令は、前記１つまたは複数のコンピュータに、前記セル上での無線リンク障害（ＲＬＦ）または同期外（ＯＯＳ）イベントのうちの少なくとも１つに応答して、前記セルのセル構成情報（ＣＣＩ）および前記ＵＥによって以前に獲得された１つまたは複数の以前のセルの１つまたは複数のＣＣＩのシーケンスを記録することによって少なくとも部分的に前記セル情報データベース内に前記セルに関する前記情報を格納することをさらに行わせ、ここにおいて、前記構成情報は、前記セルの物理的セルアイデンティティ（ＰＣＩ）と、公衆陸上無線ネットワーク（ＰＬＭＮ）と、周波数（ｅａｒＦＣＮ）と、を含み、ここにおいて、前記命令は、前記１つまたは複数のコンピュータに、
現在のＣＣＩシーケンスと前記セル情報データベース内に格納された１つまたは複数のＣＣＩシーケンスとの間の合致を決定すること、および
前記合致を前記決定することに少なくとも部分的に応答して、ＲＬＦまたはＯＯＳイベントのうちの少なくとも１つを予測すること、をさらに行わせる、
Ｃ１５に記載のコンピュータ可読媒体。
［Ｃ２１］
前記命令は、前記１つまたは複数のコンピュータに、前記ＲＬＦまたはＯＯＳイベントの発生または予測のうちの少なくとも１つに引き続いての別のセルの成功裏の獲得に少なくとも部分的に応答して、ＣＣＩの前記シーケンスに関連する解決方法として前記別のセルのＣＣＩを記録することによって少なくとも部分的に前記セル情報データベース内に前記セルに関する前記構成情報を格納することをさらに行わせ、ここにおいて、前記命令は、前記１つまたは複数のコンピュータに、
前記別のセルを優先的に獲得するために、前記ＲＬＦまたはＯＯＳイベントを前記予測することに少なくとも部分的に応答して、ＣＣＩの前記シーケンスに関連する前記解決方法を使用することをさらに行わせる、
Ｃ２２に記載のコンピュータ可読媒体。
［Ｃ２２］
無線通信のための装置であって、
ユーザ機器（ＵＥ）によって、セルに関する構成情報、クローズド加入者グループ（ＣＳＧ）能力情報、または発展型マルチメディアブロードキャストマルチキャストサービス（ｅＭＢＭＳ）能力情報のうちの少なくとも１つを獲得し、および
前記ＵＥによって、セル情報データベース内に前記セルに関する前記獲得された情報を格納するようにさらに構成された１つまたは複数のプロセッサと、
前記１つまたは複数のプロセッサに結合された少なくとも１つのメモリと、を備える、装置。
［Ｃ２３］
前記１つまたは複数のプロセッサは、
前記ＵＥによって、セルに関するシステム情報ブロック（ＳＩＢ）メッセージを復号し、
前記復号されたＳＩＢメッセージから前記セルに関する前記構成情報を獲得し、および
前記ＵＥによって、前記セルの物理ハイブリッド−自動再送要求（ＨＡＲＱ）インジケータチャネル（ＰＨＩＣＨ）グループマッピングのための最初の相互情報（Ｍｉ）仮説値を決定するために前記セル情報データベース内の前記セルに関する前記構成情報を使用するようにさらに構成される、
Ｃ２２に記載の装置。
［Ｃ２４］
前記１つまたは複数のプロセッサは、前記セル情報データベース内に前記セルの位置を格納することによって少なくとも部分的に前記セル情報データベース内に前記セルに関する前記構成情報を格納するようにさらに構成され、測位基準信号（ＰＲＳ）、到着の観測された時間差（ＯＴＤＡ）、または決定された全地球測位システム（ＧＰＳ）座標のうちの少なくとも１つに関連するデータをキャッシュに格納することを含み、ここにおいて、前記１つまたは複数のプロセッサは、
前記ＵＥによって、前記セルを一意で特定するために、前記位置情報を含む、前記セル情報データベース内の前記セルに関する前記構成情報を使用するようにさらに構成される、
Ｃ２２に記載の装置。
［Ｃ２５］
前記１つまたは複数のプロセッサは、前記ＣＳＧ能力情報を格納することによって少なくとも部分的に前記セル情報データベース内に前記セルに関する前記情報を格納するようにさらに構成され、ここにおいて、前記１つまたは複数のプロセッサは、
前記ＵＥのパワーアップ時の最初の周波数スキャン中に、前記セルがＣＳＧ能力を有すること、および、別のセルがＣＳＧ能力を有さないことを決定するために前記セル情報データベースを使用し、および
前記セルがＣＳＧ能力を有さない前記別のセルよりも低い信号強度を前記ＵＥにおいて有するにもかかわらず前記セルの前記ＣＳＧ能力に基づいて前記セル上での最初の獲得を優先するようにさらに構成される、
Ｃ２２に記載の装置。
［Ｃ２６］
前記１つまたは複数のプロセッサは、前記ｅＭＢＭＳ能力情報を格納することによって少なくとも部分的に前記セル情報データベース内に前記セルに関する前記構成情報を格納するようにさらに構成され、ここにおいて、前記１つまたは複数のプロセッサは、
前記ＵＥのパワーアップ時の最初の周波数スキャン中に、前記セルがｅＭＢＭＳ能力を有すること、および、別のセルがｅＭＢＭＳ能力を有さないことを決定するために前記セル情報データベースを使用し、および
前記セルがＣＳＧ能力を有さない前記別のセルよりも低い信号強度を前記ＵＥにおいて有するにもかかわらず前記セルの前記ｅＭＢＭＳ能力に基づいて前記セル上での最初の獲得を優先するようにさらに構成される、
Ｃ２２に記載の装置。
［Ｃ２７］
前記１つまたは複数のプロセッサは、前記セル上での無線リンク障害（ＲＬＦ）または同期外（ＯＯＳ）イベントのうちの少なくとも１つに応答して、前記セルのセル構成情報（ＣＣＩ）および前記ＵＥによって以前に獲得された１つまたは複数の以前のセルの１つまたは複数のＣＣＩのシーケンスを記録することによって少なくとも部分的に前記セル情報データベース内に前記セルに関する前記構成情報を格納するようにさらに構成され、ここにおいて、前記構成情報は、前記セルの物理的セルアイデンティティ（ＰＣＩ）と、公衆陸上無線ネットワーク（ＰＬＭＮ）と、周波数（ｅａｒＦＣＮ）と、を含み、ここにおいて、前記１つまたは複数のプロセッサは、
現在のＣＣＩシーケンスと前記セル情報データベース内に格納された１つまたは複数のＣＣＩシーケンスとの間の合致を決定し、および
前記合致を前記決定することに少なくとも部分的に応答して、ＲＬＦまたはＯＯＳイベントのうちの少なくとも１つを予測するようにさらに構成される、
Ｃ２２に記載の装置。
［Ｃ２８］
前記１つまたは複数のプロセッサは、前記ＲＬＦまたはＯＯＳイベントの発生または予測のうちの少なくとも１つに引き続いての別のセルの成功裏の獲得に少なくとも部分的に応答して、ＣＣＩの前記シーケンスに関連する解決方法として前記別のセルのＣＣＩを記録することによって少なくとも部分的に前記セル情報データベース内に前記セルに関する前記構成情報を格納するようにさらに構成され、ここにおいて、前記１つまたは複数のプロセッサは、
前記別のセルを優先的に獲得するために、前記ＲＬＦまたはＯＯＳイベントを前記予測することに少なくとも部分的に応答して、ＣＣＩの前記シーケンスに関連する前記解決方法を使用するようにさらに構成される、
Ｃ２７に記載の装置。
【図１】
0006374024.tif 000005
【図２】
0006374024.tif 000006
【図３】
0006374024.tif 000007
【図４】
0006374024.tif 000008
【図５】
0006374024.tif 000009